(57)【要約】弦楽器用のチューナホルダ。第１実施例は、（ｉ）支柱、（ｉｉ）支柱遠端から第１縦軸方向に略垂直に延びる棚、（ｉｉｉ）支柱近端近傍から第２縦軸方向に延びるフック、および（ｉｖ ）チューナをホルダに固定する手段を含む。第２実施例は、（ｉ）囲いの上部を通って保持室に入る第１アクセス開口と囲いの前面を通って保持室に入る第２アクセス開口とを有して保持室を規定する囲い、および（ｉｉ）保持室から離れて囲いの後面から長手方向に延びるフックを含む。第３実施例は、（ｉ）支柱、（ｉｉ）チューナを保持しかつ少なくとも格納位置と回転位置との間を横軸の周りを回転するために支柱の遠端近接して支柱に枢軸的に取り付けられた接続エレメント、および（ｉｉｉ）支柱近端から第２縦軸方向に延びたフックを含む。第４実施例は、（ｉ）チューナハウジング、および（ｉｉ）ハウジングの底壁から延びるフックを含むアセンブリである。
2004511021.tif 000002
【特許請求の範囲】
【請求項１】
（ａ）横断的に離間された遠端および近端を有する支柱、
（ｂ）支柱の遠端から第１縦軸方向に対して実質的に直交方向に延びる棚、
（ｃ）支柱の近端から第２縦軸方向に延びるフック、および
（ｄ）チューナをホルダに固定する手段を備える、チューナホルダ。
【請求項２】
支柱の遠端に近接する支柱から第２縦軸方向に延びる突出部をさらに備える、請求項１記載のチューナホルダ。
【請求項３】
（ｉ）支柱は棚から第１交軸方向に延び、（ｉｉ）棚は遠端と支柱に近接する近端とを縦方向に離間して有し、そして（ｉｉｉ）棚の遠端に近接する棚から第１交軸方向に延びる支持壁をさらに備える、請求項１記載のチューナホルダ。
【請求項４】
（ｉ）保持チャネルが、支柱、棚および支持壁によって形成され、そして（ｉｉ）支持壁は支柱から弾性的に撓み得て、それによって閉位置から開位置への支持壁の撓みによって保持チャネルにチューナを挿入可能であり、閉位置へ撓んだ支持壁が戻る際に挿入されたチューナが保持チャネルに固定的に支持され、そして挿入されたチューナは閉位置から開位置への支持壁の撓みによって保持チャネルから取り外し可能となる、請求項３記載のチューナホルダ。
【請求項５】
保持チャネルを越えて延びる第１フィンガおよび第２フィンガをさらに備え、第１フィンガは、第２縦軸方向に支持壁の遠端から長手方向に延び、第２フィンガは、第１縦軸方向に支柱から長手方向に延びる、請求項４記載のチューナホルダ。
【請求項６】
支柱、棚およびフックが一体物として一体的に形成される、請求項１記載のチューナホルダ。
【請求項７】
支柱、棚、フックおよび突出部が一体物として一体的に形成される、請求項２記載のチューナホルダ。
【請求項８】
支柱は２〜５ｃｍの横断方向の高さと１〜１０ｃｍの横方向の幅とを有する、請求項１記載のチューナホルダ。
【請求項９】
棚は１〜１０ｃｍの横方向の幅と３〜１０ｃｍの縦方向の深さとを有する、請求項１記載のチューナホルダ。
【請求項１０】
フックは２〜５ｃｍの横方向の幅と１〜２ｃｍの縦方向の深さとを有する、請求項１記載のチューナホルダ。
【請求項１１】
突出部は０．３〜１ｃｍの縦方向の深さを有する、請求項２記載のチューナホルダ。
【請求項１２】
チューナをホルダに固着する手段は、（ｉ）ホルダに固着的に貼付される面ファスナ第１部分と（ｉｉ）第１部分に剥離可能に付着されかつ感圧接着剤が塗布されかつ剥離ライナで覆われる露出主表面を有する面ファスナ第２部分とを含む面ファスナである、請求項１記載のチューナホルダ。
【請求項１３】
響孔に近接して弦楽器本体からチューナを引っ掛けるのにホルダが使用されるとき弦楽器本体に接触するホルダ部分を覆う保護パッド層をさらに備える、請求項１記載のチューナホルダ。
【請求項１４】
（ｉ）支柱は第１縦軸方向に向く第１主表面と第２縦軸方向に向く第２主表面とを有し、（ｉｉ）棚は第１交軸方向に向く第１主表面と第２交軸方向に向く第２主表面とを有し、（ｉｉｉ）フックは外側主表面と内側主表面とを規定し、そして（ｉｖ）保護パッド層は支柱の第２主表面の少なくとも一部とフック内側主表面の少なくとも一部とを覆う、請求項１３記載のチューナホルダ。
【請求項１５】
（ｉ）支柱は第１縦軸方向に向く第１主表面と第２縦軸方向に向く第２主表面とを有し、（ｉｉ）棚は第１交軸方向に向く第１主表面と第２交軸方向に向く第２主表面とを有し、（ｉｉｉ）フックは外側主表面と内側主表面とを規定し、そして（ｉｖ）保護パッド層は支柱の第２主表面と棚の第２主表面とフックの内側主表面とを覆う、請求項１３記載のチューナホルダ。
【請求項１６】
（ｉ）弦楽器の弦を弾くことによって発生する振動を感知しかつ感知された振動を電気信号に変換するために効果的な、ホルダに取り付けられたトランデューサ、および（ｉｉ）トランスデューサからの電気信号をチューナへ送信するために、トランデューサをホルダに固定されたチューナに電気的に接続する手段をさらに備える、請求項１記載のチューナホルダ。
【請求項１７】
（ｉ）トランデューサは圧電センサであり、そして（ｉｉ）圧電センサをチューナに電気的に接続する手段は、チューナがホルダに固定されるときに圧電センサをチューナに自動的に電気的に接続する、請求項１６記載のチューナホルダ。
【請求項１８】
トランスデューサはホルダに取り外し可能に取り付けられる、請求項１６記載のチューナホルダ。
【請求項１９】
チューナをホルダに固定する手段は、少なくとも格納位置とチューニング位置との間で支柱に対するチューナの相対的な移動を許容するために、チューナをホルダに枢軸的に固定する、請求項１記載のチューナホルダ。
【請求項２０】
響孔を有する弦楽器をチューニングする方法であって、
（ａ）弦楽器用チューナを獲得するステップ、
（ｂ）請求項１のホルダを獲得するステップ、
（ｃ）チューナをホルダに固定するステップ、
（ｄ）響孔にてホルダを弦楽器に引っ掛けることによって響孔に近接してチューナを弦楽器から吊るすステップ、
（ｅ）周波数を有する振動を発生させるように弦楽器の弦を弾くステップ、および
（ｆ）標準的な音階における目標周波数に関連する振動の周波数を指示するチューナによって生成される知覚信号に基づいて弾かれた弦の張りを調節するステップを含む、方法。
【請求項２１】
響孔を有する弦楽器をチューニングする方法であって、
（ａ）弦楽器用のチューナを獲得するステップ、
（ｂ）請求項１６のホルダを獲得するステップ、
（ｃ）チューナをホルダに固定するステップ、
（ｄ）チューナをトランスデューサに電気的に接続するステップ、
（ｅ）響孔にてホルダを弦楽器に引っ掛けることによって響孔に近接してチューナを弦楽器から吊るすステップ、
（ｆ）周波数を有する振動を発生させるように弦楽器の弦を弾き、それによって（ｉ）トランスデューサによって振動の周波数に対応する電気信号を発生させ、（ｉｉ）トランスデューサからチューナへ電気信号を送信させ、（ｉｉｉ）チューナによって振動の周波数と標準的な音階における目標周波数との間の差異を示す知覚信号を発生させるステップ、および
（ｇ）知覚信号に基づいて弾かれた弦の張りを調節するステップを含む、方法。
【請求項２２】
（ａ）後部から縦方向に離間する前部、底部から横断方向に離間する上部および左側面から横方向に離間する右側面を有しかつ上部と前部の両方のアクセス開口を通ってアクセス可能な保持室を規定する囲いであって、（ｉ）囲い上部を通るアクセス開口は、特定のチューナの主要部が第２交軸方向に滑動的に導入されかつ格納配向において保持室内に係合されるように構成されかつ配置され、そして（ｉｉ）囲い前部を通るアクセス開口は、同チューナの副部が保持室内で滑動的に導入されかつチューニング位置において保持室内で係合されるように構成されかつ配置される、そのような囲い、および
（ｂ）保持室から離れるように囲いから延びかつ第１交軸方向においてアクセス可能な凹部を規定するフックを備える、弦楽器のチューナホルダ。
【請求項２３】
囲い前部を通るアクセス開口は囲いの底部に近接して横断的に配置される、請求項２２記載のチューナホルダ。
【請求項２４】
囲いは、さらに、囲い上部を通るアクセス開口から囲い前部を通るアクセス開口へ延びて囲い前部を通る横断スロットを含む、請求項２３記載のチューナホルダ。
【請求項２５】
保持室から離れるように囲い後部から延びて囲い底部に近接する突出部をさらに備える、請求項２２記載のチューナホルダ。
【請求項２６】
フックが囲い上部に近接して位置決めされる、請求項２２記載のチューナホルダ。
【請求項２７】
フックが囲い上部から横断方向に延びる、請求項２６記載のチューナホルダ。
【請求項２８】
囲いの前部、後部、上部、底部、第１側面と第２側面およびフックとは一体物として一体的に形成される、請求項２２記載のチューナホルダ。
【請求項２９】
保持室は４〜１２ｃｍの横断方向の高さと３〜１２ｃｍの横方向の幅と１〜４ｃｍの縦方向の深さとを有する、請求項２２記載のチューナホルダ。
【請求項３０】
保持室は６〜１０ｃｍの横断方向の高さと４〜６ｃｍの横方向の幅と２〜３ｃｍの縦方向の深さとを有する、請求項２４記載のチューナホルダ。
【請求項３１】
響孔に近接して弦楽器本体からチューナを引っ掛けるのにホルダが使用されるときに弦楽器本体に接触するホルダ部分の保護パッド層をさらに備える、請求項２２記載のチューナホルダ。
【請求項３２】
（ｉ）囲いの後面は保持室に向く第１主表面と保持室から離れた第２主表面とを有し、（ｉｉ）フックは外側主表面と内側主表面とを規定し、そして（ｉｉｉ）保護パッド層は囲いの後面の第２主表面の少なくとも一部とフックの内側主表面の少なくとも一部とを覆う、請求項２４記載のチューナホルダ。
【請求項３３】
（ｉ）弦楽器の弦の振動を生じることによって発生する振動を感知しかつ感知された振動を電気信号に変換するために効果的である、囲いに取り付けられたトランスデューサ、および（ｉｉ）トランスデューサからの電気信号をチューナへ送信するために、チューナがチューニング位置に保持室内で係合されるときにトランスデューサにチューナを電気的に接続させる手段をさらに備える、請求項２２記載のチューナホルダ。
【請求項３４】
（ｉ）トランデューサは圧電センサであり、そして（ｉｉ）圧電センサをチューナに電気的に接続する手段は、チューナがチューニング位置において保持室内で係合されるときに圧電センサをチューナに自動的に電気的に接続する、請求項３３記載のチューナホルダ。
【請求項３５】
トランスデューサは囲いに取り外し自在に取り付けられる、請求項３３記載のチューナホルダ。
【請求項３６】
響孔を有する弦楽器をチューニングする方法であって、
（ａ）弦楽器用のチューナを獲得するステップ、
（ｂ）請求項２２のホルダを獲得するステップ、
（ｃ）チューニング位置にチューナをホルダに固定するステップ、
（ｄ）響孔にてホルダを弦楽器に引っ掛けることによって響孔に近接してチューナを弦楽器から吊るすステップ、
（ｅ）周波数を有する振動を発生させるように弦楽器の弦を弾くステップ、および
（ｆ）標準的な音階における目標周波数に関連する振動周波数を指示するチューナによって生成される知覚信号に基づいて弾かれた弦の張りを調節するステップを含む、方法。
【請求項３７】
響孔を有する弦楽器をチューニングする方法であって、
（ａ）弦楽器用のチューナを獲得するステップ、
（ｂ）請求項３３のホルダを獲得するステップ、
（ｃ）チューニング位置においてチューナをホルダに固定するステップ、
（ｄ）チューナをトランスデューサに電気的に接続させるステップ、
（ｅ）響孔にてホルダを弦楽器に引っ掛けることによって響孔に近接してチューナを弦楽器から吊るすステップ、
（ｆ）周波数を有する振動を発生するように弦楽器の弦を弾き、それによって（ｉ）トランスデューサによって振動の周波数に対応する電気信号を発生させ、
（ｉｉ）トランスデューサからチューナへ電気信号を送信させ、そして（ｉｉｉ）チューナによって振動の周波数と標準的な音階における目標周波数との間の差異を示す知覚信号を発生させるステップ、および
（ｇ）知覚信号に基づいて弾かれた弦の張りを調節するステップを含む、方法。
【請求項３８】
（ａ）少なくとも、
（１）ハウジング、および
（２）ハウジングを通るアクセスポートを有するトランスデューサ
を含むチューナ、および
（ｂ）少なくとも、
（１）後部から縦方向に離間する前部、底部から横断的に離間する上部および左側面から横方向に離間する右側面を有しかつ、囲いの上部と前部の両方を通るアクセス開口を通ってアクセス可能な保持室を規定する囲いであって、（ｉ）囲い上部を通るアクセス開口は、チューナのハウジングを通るトランスデューサアクセスポートが保持室内に位置決めされかつ囲い後部に向きながら、チューナの主要部が囲いに関連する格納位置において保持室内に滑動的に導入されるように構成されかつ配置され、そして（ｉｉ）囲い前部を通るアクセス開口は、チューナのハウジングを通るトランスデューサアクセスポートが保持室の外側に位置決めされかつ囲い上部に向きながら、同チューナの副部が囲いに関連するチューニング位置において保持室内に滑動的に導入かつ係合されるように構成されかつ配置された、そのような囲い、および
（２）保持室から離れつつ囲い後部から縦方向に延びるフック
を含むチューナホルダを備える、コンビネーション。
【請求項３９】
囲い前部を通るアクセス開口は囲い底部に近接して横断的に配置される、請求項３８記載のコンビネーション。
【請求項４０】
囲いは、さらに、囲い上部を通るアクセス開口から囲い前部を通るアクセス開口へ延びて囲い前部を通る横断スロットを含む、請求項３９記載のコンビネーション。
【請求項４１】
保持室から離れるように囲い後部から延びて囲い底部に近接する突出部をさらに備える、請求項３８記載のコンビネーション。
【請求項４２】
フックは囲い上部に近接して配置される、請求項３８記載のコンビネーション。
【請求項４３】
フックは囲い上部から横断的に延びる、請求項４２記載のコンビネーション。
【請求項４４】
囲いの前部、後部、上部、底部、第１側面および第２側面とフックとが一体物として一体的に形成される、請求項３８記載のコンビネーション。
【請求項４５】
保持室は４〜１２ｃｍの横断方向の高さと３〜１２ｃｍの横方向の幅と１〜４ｃｍの縦方向の深さとを有する、請求項３８記載のコンビネーション。
【請求項４６】
保持室は、６〜１０ｃｍの横断方向の高さと４〜６ｃｍの横方向の幅と２〜３ｃｍの縦方向の深さとを有する、請求項４０記載のコンビネーション。
【請求項４７】
響孔に近接して弦楽器本体からチューナを引っ掛けるのにホルダが使用されるときに弦楽器本体に接触するホルダ部分を覆う保護パッド層をさらに備える、請求項３８記載のコンビネーション。
【請求項４８】
（ｉ）囲いの後面は保持室に向く第１主表面と保持室から離れる第２主表面とを有し、（ｉｉ）フックは外側主表面と内側主表面とを有し、そして（ｉｉｉ）保護パッド層は囲いの後面の第２主表面の少なくとも一部とフックの内側主表面の少なくとも一部とを覆う、請求項４０記載のコンビネーション。
【請求項４９】
（ｉ）弦楽器の弦の振動を生じることによって発生する振動を感知し、かつ感知された振動を電気信号に変換するのに効果的である、ホルダに取り付けられた第２トランスデューサ、および（ｉｉ）第２トランスデューサからの電気信号をチューナに送信するためにチューナがチューニング位置に保持室内で係合されるときに、第２トランスデューサをチューナに電気的に接続させる手段をさらに備える、請求項３８記載のコンビネーション。
【請求項５０】
（ｉ）トランデューサは圧電センサであり、そして（ｉｉ）圧電センサをチューナに電気的に接続する手段は、チューナがチューニング位置において保持室内で係合されるときに圧電センサをチューナに自動的に電気的に接続する、請求項４９記載のコンビネーション。
【請求項５１】
トランスデューサは囲いに取り外し自在に取り付けられる、請求項４９記載のコンビネーション。
【請求項５２】
響孔を有する弦楽器をチューニングする方法であって、
（ａ）請求項３８のコンビネーションを獲得するステップ、
（ｂ）ホルダの保持室内でチューニング位置にチューナを滑動的に係合させるステップ、
（ｃ）響孔にてホルダを弦楽器に引っ掛けることによって響孔に近接してチューナを弦楽器から吊るすステップ、
（ｄ）周波数を有する振動を発生させるように弦楽器の弦を弾くステップ、および
（ｅ）標準的な音階における目標周波数に関連する振動の周波数を指示するチューナによって生成される知覚信号に基づいて弾かれた弦の張りを調節するステップを含む、方法。
【請求項５３】
響孔を有する弦楽器をチューニングする方法であって、
（ａ）請求項４９のコンビネーションを獲得するステップ、
（ｂ）ホルダの保持室内でチューニング位置にチューナを滑動的に係合させるステップ、
（ｃ）チューナを第２トランスデューサに電気的に接続するステップ、
（ｄ）響孔にホルダを弦楽器に引っ掛けることによって響孔に近接してチューナを弦楽器から吊るすステップ、
（ｅ）周波数を有する振動を発生するように弦楽器の弦を弾き、それによって（ｉ）第２トランスデューサによって振動の周波数に対応する電気信号を発生させ、（ｉｉ）トランスデューサからの電気信号をチューナへ送信させ、そして（ｉｉｉ）チューナによって振動の周波数と標準的な音階における目標周波数との間の差異を示す知覚信号を発生させるステップ、および
（ｆ）知覚信号に基づいて弾かれた弦の張りを調節するステップを含む、方法。
【請求項５４】
（ａ）横断方向に離間する遠端および近端を有する支柱、
（ｂ）支柱の遠端に近接する支柱に枢軸的に取り付けられるチューナを保持し、かつ少なくとも格納位置とチューニング位置との間で横軸周りに旋回させるのに効果的である接続エレメントであって、少なくとも一部が格納およびチューニング位置のときに第１縦軸方向に延びる、そのような接続エレメント、および
（ｃ）支柱の近端に近接して第２縦軸方向に延びるフックを備える、チューナホルダ。
【請求項５５】
格納位置はチューニング位置に対して実質的に直交する、請求項５４記載のチューナホルダ。
【請求項５６】
接続エレメントは、少なくとも格納位置、チューニング位置、および表示位置の間で横軸周りに旋回するように支柱の遠端近辺の支柱に枢軸的に取り付けられ、格納位置およびチューニング位置にあるときは接続エレメント内に保持されたチューナが支柱から第１縦軸方向に縦方向に離間され、そして表示位置にあるときは支柱から第２縦軸方向に縦方向に離間される、請求項５４記載のチューナホルダ。
【請求項５７】
支柱の遠端に近接した支柱から第２縦軸方向に延びる突出部をさらに備える、請求項５４記載のチューナホルダ。
【請求項５８】
支柱およびフックは一体物として一体的に形成される、請求項５４記載のチューナホルダ。
【請求項５９】
支柱、フックおよび突出部は一体物として一体的に形成される、請求項５５記載のチューナホルダ。
【請求項６０】
支柱は２〜１０ｃｍの横断方向の高さと２〜１０ｃｍの横方向の幅とを有する、請求項５４記載のチューナホルダ。
【請求項６１】
フックは２〜５ｃｍの横方向の幅と１〜２ｃｍの縦方向の深さとを有する、請求項５４記載のチューナホルダ。
【請求項６２】
突出部は０．３〜１ｃｍの縦方向の深さを有する、請求項５５記載のチューナホルダ。
【請求項６３】
接続エレメントはチャネルを規定し、そのチャネルは、締りばめによってチャネル内にチューナ端部を取り外し可能に固定するように構成かつ配置される、請求項５４記載のホルダ。
【請求項６４】
（ｉ）接続エレメントに固着的に貼付される面ファスナ第１部分と（ｉｉ）第１部分に剥離可能に付着されかつ感圧接着剤が塗布されかつ剥離ライナで覆われる露出主表面を有する面ファスナ第２部分とを含む面ファスナである、請求項５４記載のチューナホルダ。
【請求項６５】
響孔に近接して弦楽器本体からチューナを引っ掛けるのにホルダが使用されるときに弦楽器本体に接触するホルダ部分を覆う保護パッド層をさらに備える、請求項５４記載のチューナホルダ。
【請求項６６】
（ｉ）支柱は第１縦軸方向に向く第１主表面と第２縦軸方向に向く第２主表面とを有し、（ｉｉ）フックは外側主表面と内側主表面とを規定し、そして（ｉｉｉ）保護パッド層は支柱の第２主表面の少なくとも一部とフックの内側主表面の少なくとも一部とを覆う、請求項６５記載のチューナホルダ。
【請求項６７】
（ｉ）弦楽器の弦の振動を発生することによって生成された振動を感知しかつ感知された振動を電気信号に変換するのに効果的である、ホルダに装着されたトランデューサ、および（ｉｉ）トランスデューサからの電気信号をチューナへ送信するために、トランデューサをホルダに取り付けるチューナに電気的に接続する手段をさらに備える、請求項５４記載のチューナホルダ。
【請求項６８】
（ｉ）トランデューサは圧電センサであり、そして（ｉｉ）圧電センサをチューナに電気的に接続する手段は、チューナが接続エレメント内に保持されるときに圧電センサをチューナに自動的に電気的に接続する、請求項６７記載のチューナホルダ。
【請求項６９】
トランスデューサはホルダに取り外し可能に取り付けられる、請求項６７記載のチューナホルダ。
【請求項７０】
響孔を有する弦楽器をチューニングする方法であって、
（ａ）弦楽器用チューナを獲得するステップ、
（ｂ）請求項５４のホルダを獲得するステップ、
（ｃ）チューナをチューニング位置で接続エレメントに固定するステップ、
（ｄ）響孔にてホルダを弦楽器に引っ掛けることによって響孔に近接してチューナを弦楽器から吊るすステップ、
（ｅ）周波数を有する振動を発生するように弦楽器の弦を弾くステップ、および
（ｆ）標準的な音階における目標周波数に関連する振動の周波数を指示するチューナによって生成される知覚信号に基づいて弾かれた弦の張りを調節するステップを含む、方法。
【請求項７１】
（ａ）弦楽器用チューナを獲得するステップ、
（ｂ）請求項６７のホルダを獲得するステップ、
（ｃ）チューナをチューニング位置で接続エレメントに固定するステップ、
（ｄ）チューナをトランデューサに電気的に接続するステップ、
（ｅ）響孔にてホルダを弦楽器に引っ掛けることによって響孔に近接してチューナを弦楽器から吊るすステップ、
（ｆ）周波数を有する振動を発生させるように弦楽器の弦を弾き、それによって（ｉ）トランスデューサによって振動の周波数に対応する電気信号を発生させ、（ｉｉ）トランスデューサからチューナへ電気信号を送信させ、および（ｉｉｉ）チューナによって振動の周波数と標準的な音階における目標周波数との間の差異を示す知覚信号を発生させるステップ、および
（ｇ）知覚信号に基づいて弾かれた弦の張りを調節するステップを含む、方法。
【請求項７２】
（ａ）少なくとも、
（１）（ｉ）第１縦軸方向に向く上壁外面と第２縦軸方向に向く底壁外面とを有する縦方向に離間する上壁および下壁、および（ｉｉ）第１交軸方向に向く前壁外面と第２交軸方向に向く後壁外面とを有する横断方向に離間する前壁および後壁を有するハウジング、
（２）トランスデューサ、および
（３）ハウジングの前壁外面上に配置されるチューニング可視表示
を含むチューナ、および
（ｂ）ハウジングから第２縦軸方向に延び、そして第１交軸方向にアクセス可能な凹部を規定するフックを備える、アセンブリ。
【請求項７３】
フックをハウジングから第１交軸方向において横断方向に離間させるようにそれの近端をハウジングに沿って取り付け、その遠端をフックに沿って取り付けてハウジングとフックとの間に介挿される横断方向に延びる支柱をさらに備える、請求項７２記載のアセンブリ。
【請求項７４】
ハウジングの後壁に近接してハウジングの底壁から第２縦軸方向に延びる突出部をさらに備える、請求項７２記載のアセンブリ。
【請求項７５】
フックがハウジングの少なくとも一部の一体物として一体的に形成される、請求項７２記載のアセンブリ。
【請求項７６】
フックと支柱がハウジングの少なくとも一部の一体物として一体的に形成される、請求項７３記載のアセンブリ。
【請求項７７】
フックと支柱がハウジングの少なくとも一部の一体物として一体的に形成され、そして突出部がハウジングの少なくとも一部の一体物として一体的に形成される、請求項７４記載のアセンブリ。
【請求項７８】
フックは２〜５ｃｍの横方向の幅と１〜２ｃｍの縦方向の深さとを有する、請求項７２記載のアセンブリ。
【請求項７９】
（ｉ）フックは２〜５ｃｍの横方向の幅と１〜２ｃｍの縦方向の深さとを有し、そして（ｉｉ）支柱は０．５〜５ｃｍの横断方向の高さを有する、請求項７３記載のアセンブリ。
【請求項８０】
突出部は０．３から１ｃｍの縦方向の深さを有する、請求項７４記載のアセンブリ。
【請求項８１】
アセンブリが響孔に近接して弦楽器本体から引っ掛けられるときに弦楽器本体に接触するアセンブリ部分を覆う保護パッド層をさらに備える、請求項７２記載のアセンブリ。
【請求項８２】
（ｉ）フックは外側主表面と内側主表面とを規定し、そして（ｉｉ）保護パッド層はハウジング底壁外面の少なくとも一部とフック内側主表面の少なくとも一部とを覆う、請求項８１記載のアセンブリ。
【請求項８３】
（ｉ）支柱は第１縦軸方向に向く第１主表面と第２縦軸方向に向く第２主表面とを有し、（ｉｉ）フックは外側主表面と内側主表面とを規定し、そして（ｉｉｉ）保護パッド層はハウジング底壁外面の少なくとも一部と支柱第２主表面の少なくとも一部とフック内側主表面の少なくとも一部とを覆う、請求項７３記載のアセンブリ。
【請求項８４】
フックは少なくとも格納位置とチューニング位置との間を移動するように滑動的ないし枢軸的にハウジングに装着される、請求項７２記載のアセンブリ。
【請求項８５】
響孔を有する弦楽器をチューニングする方法であって、
（ａ）請求項７２のアセンブリを獲得するステップ、
（ｂ）響孔にてホルダを弦楽器に引っ掛けることによって響孔に近接してチューナを弦楽器から吊るすステップ、
（ｃ）周波数を有する振動を発生するように弦楽器の弦を弾くステップ、そして
（ｄ）標準的な音階における目標周波数に関連する振動周波数を指示するチューナによって生成される知覚信号に基づいて弾かれた弦の張りを調節するステップを含む、方法。
【発明の詳細な説明】
【０００１】
【産業上の利用分野】
この発明は、弦楽器のチューナホルダに関し、特にたとえばギターチューナのホルダに関する。
【０００２】
【従来の技術】
ギター等のような弦楽器は、典型的には、楽器の１本の弦をはじく、打つ、ないし撫でることによって発生される振動の周波数を感知可能であり、かつ発生された振動の周波数と標準的な音階における目的周波数との間の任意の差を伝達できる電子チューナ（調律器）の使用を通して調律（チューニング）される。
【０００３】
チューナを使用するときに、発生した振動の周波数と目的周波数との差を伝達するチューニング可視表示がその楽器を調律する人に見えるようにチューナを位置決めする必要がある。また、一般的に、いかなる外的干渉も最小にして楽器からの音の受信を最大にするために、トランスデューサ（たとえば、マイクロフォン）を響孔に対面させながら楽器の響孔に近接してチューナを位置決めすることも望まれる。楽器を保持し、演奏しおよび調律するために両手をフリーにしたままこれらの目的を達成しようとして多数のチューナホルダが開発されてきた。
【０００４】
米国特許第５，７２８，９５９号は、マイクロフォン（マイク）スタンドにチューナを装着するためのチューナ用締め付けホルダを説明する。この特許では、チューニング可視表示が楽器を調律する人に見えるようにそしてトランスデューサが楽器の響孔に向くようにチューナを位置決めしてはいるが、チューナは楽器の響孔からかなり離れて装着される。
【０００５】
米国特許第４，８９９，６３６号は、ギター本体にチューナを装着するための吸引カップを内蔵するギターチューナを説明する。概略的にいうと、トランスデューサを響孔に対面させながら響孔に近接してチューナを位置決めできかつギターをチューニングする人にチューニング可視表示を見えるようにするが、吸引カップがギター本体に傷をつけ、引っ掻きないしは破損する可能性が高いためにギターの所有者はそのような装置をギター本体に取り付けることを非常に嫌がる。
【０００６】
米国意匠特許第３５３，８２６号は、ギターの響孔からのせ台（プラットホーム）を引っ掛けるように構成および配置されるギターチューナホルダを描く。そのホルダは、音響孔を通ってギター本体の内面に係合するためののせ台の後端から下方に延びる中央に配置された上方ノブと、音響孔の真下でギター本体の外面に係合するための左右の脚から後方に延びる１対の横方向に離間したノブとを含む。概略的にいうと、ギターをチューニングする人にチューナのチューニング可視表示を見せることができる方向に響孔に近接してチューナを配置するが、のせ台は響孔からまっすぐに延びるのでチューナがギター弦の真ん前に位置することになり、チューナがギター弦の演奏を邪魔しかつトランスデューサがギター弦の少なくとも数本上に位置することになる。
【０００７】
したがって、楽器の演奏を邪魔することなくトランスデューサを響孔に対面させながら弦楽器の響孔に近接してチューナを配置するチューナホルダ、および楽器をチューニングする人にも見えるチューニング可視表示が必要である。
【０００８】
【発明が解決しようとする課題】
この発明は、楽器の演奏を邪魔することなくトランスデューサを響孔に対面させながら楽器の響孔に近接してチューナを配置可能な弦楽器用の安価なチューナホルダ、および楽器をチューニングする人にも見えるチューニング可視表示である。
【０００９】
【課題を解決するための手段、作用、効果】
第１実施例
この発明の第１実施例は、（ｉ）支柱、（ｉｉ）支柱の遠端から第１縦軸方向に対して実質的に直交方向に伸長する棚、（ｉｉｉ）支柱の近端から第２縦軸方向に延びるフック、および（ｉｖ）チューナをホルダに固定する手段を備えるチューナホルダである。
【００１０】
そのホルダは、オプションとして、（ｖ）弦楽器の弦を弾くことによって発生する振動を感知しかつ感知された振動を電気信号に変換するトランデューサ、および（ｖｉ）トランスデューサからの電気信号をチューナへ送信するために、ホルダに固定されたチューナにトランデューサを電気的に接続する手段を含む。
【００１１】
この発明の第１実施例を利用する弦楽器のチューニング方法は、（ｉ）チューナをホルダに固定するステップ、（ｉｉ）響孔にてホルダを楽器に引っ掛けることによって響孔に近接してチューナを楽器から吊すステップ、（ｉｉｉ）周波数を有する振動を発生させるように楽器の弦を弾くステップ、および（ｉｖ）標準的な音階における目標周波数に関連する振動の周波数を指示するチューナによって生成される知覚信号に基づいて弾かれた弦の張りを調節するステップを含む。
【００１２】
ホルダがトランスデューサを含むときにこの発明の第１実施例を利用する弦楽器のチューニング方法は、（ｉ）チューナをホルダに固定するステップ、（ｉｉ）チューナをトランスデューサに電気的に接続するステップ、（ｉｉｉ）響孔にてホルダを楽器に引っ掛けることによって響孔に近接してチューナを楽器から吊るすステップ、（ｉｖ）周波数を有する振動を発生させるように弦楽器の弦を弾き、それによって（ａ）トランスデューサによって振動の周波数に対応する電気信号を発生させ、（ｂ）トランスデューサからチューナへ電気信号を送信させ、（ｃ）チューナによって振動の周波数と標準的な音階における目標周波数との間の差異を示す知覚信号を発生させるステップ、および（ｖ）知覚信号に基づいて弾かれた弦の張りを調節するステップを含む。
第２実施例
この発明の第２実施例は、（ｉ）保持室を規定する囲いと、（ｉｉ）保持室から離れて囲いから縦方向に延びかつ第１交軸方向にアクセス可能な凹部を規定するフックとを含むチューナホルダである。その囲いは、（ａ）後部から縦方向に離間する前部、（ｂ）底部から横断的に離間する上部、（ｃ）左側面から横方向に離間する右側面、（ｄ）囲い上部を通る保持室アクセス開口、および（ｅ）囲い前部を通る保持室アクセス開口を有する。囲い上部を通るアクセス開口は、チューナの主要部が第２交軸方向に滑動的に導入されかつ囲いに関連する格納位置において保持室内で係合されるように構成されかつ配置される。囲い前部を通るアクセス開口は、同チューナの副部がチューニング位置において保持室内に滑動的に導入されかつ係合されるように構成されかつ配置される。
【００１３】
チューナホルダは、オプションとして、（ｉｉｉ）弦楽器の弦を弾くことによって発生する振動を感知しかつ感知された振動を電気信号に変換するトランデューサ、および（ｉｖ）トランスデューサからの電気信号をチューナへ送信するために、トランデューサをホルダに固定されたチューナに電気的に接続する手段を含む。
【００１４】
この発明の第２実施例を利用する弦楽器のチューニング方法は、（ｉ）チューナをホルダにチューニング位置に固定するステップ、（ｉｉ）響孔にてホルダを楽器に引っ掛けることによって響孔に近接してチューナを楽器から吊すステップ、（ｉｉｉ）周波数を有する振動を発生させるように楽器の弦を弾くステップ、および（ｉｖ）標準的な音階における目標周波数に関連する振動の周波数を指示するチューナによって生成される知覚信号に基づいて弾かれた弦の張りを調節するステップを含む。
【００１５】
ホルダがトランスデューサを含むときにこの発明の第２実施例を利用する弦楽器のチューニング方法は、（ｉ）チューナをホルダにチューニング位置に固定するステップ、（ｉｉ）チューナをトランスデューサに電気的に接続するステップ、（ｉｉｉ）響孔にてホルダを楽器に引っ掛けることによって響孔に近接してチューナを楽器から吊るすステップ、（ｉｖ）周波数を有する振動を発生させるように楽器の弦を弾き、それによって（ａ）トランスデューサによって振動の周波数に対応する電気信号を発生させ、（ｂ）チューナへトランスデューサからの電気信号を送信させ、（ｃ）チューナによって振動の周波数と標準的な音階における目標周波数との間の差異を示す知覚信号を発生させるステップ、および（ｖ）知覚信号に基づいて弾かれた弦の張りを調節するステップを含む。
第３実施例
この発明の第３実施例は、（ｉ）横断的に離間する遠端および近端を有する支柱、（ｉｉ）支柱の遠端に近接する支柱に枢軸的に装着されてチューナを保持しかつ少なくとも格納位置とチューニング位置との間で横軸周りに旋回させるのに効果的である接続エレメントであって、少なくとも一部が格納およびチューニング位置のときに第１縦軸方向に延びる接続エレメント、および（ｉｉｉ）支柱の近端に近接して第２縦軸方向に延びるフックを含むチューナホルダである。
【００１６】
このホルダは、オプションとして、（ｉｖ）弦楽器の弦を弾くことによって生成された振動を感知しかつその振動を電気信号に変換するトランデューサ、および（ｖ）トランスデューサからの電気信号をチューナへ送信するために、接続エレメントによって保持されたチューナにトランスデューサを電気的に接続する手段を含む。
【００１７】
この発明の第３実施例を利用する弦楽器のチューニング方法は、（ｉ）チューナをチューニング位置で接続エレメントに固定するステップ、（ｉｉ）響孔にてホルダを楽器に引っ掛けることによって響孔に近接してチューナを楽器から吊るすステップ、（ｉｉｉ）周波数を有する振動を発生するように弦楽器の弦を弾くステップ、および（ｉｖ）標準的な音階における目標周波数に関連する振動周波数を指示するチューナによって生成される知覚信号に基づいて弾かれた弦の張りを調節するステップを含む。
【００１８】
ホルダがチューナを含むときにこの発明の第３実施例を利用する弦楽器のチューニング方法は、（ｉ）チューナをチューニング位置で接続エレメントに固定するステップ、（ｉｉ）チューナをトランデューサに電気的に接続するステップ、（ｉｉｉ）響孔にてホルダを楽器に引っ掛けることによって響孔に近接してチューナを弦楽器から吊るすステップ、（ｉｖ）周波数を有する振動を発生させるように楽器の弦を弾き、それによって（ａ）トランスデューサによって振動の周波数に対応する電気信号を発生させ、（ｂ）トランスデューサからチューナへ電気信号を送信させ、（ｃ）チューナによって振動の周波数と標準的な音階における目的周波数との間の差異を示す知覚信号を発生させるステップ、および（ｖ）知覚信号に基づいて弾かれた弦の張りを調節するステップを含む。
第４実施例
この発明の第４実施例は、少なくとも（ｉ）（ａ）ハウジング、（ｂ）トランスデューサおよび（ｃ）チューニング可視表示を含むチューナと（ｉｉ）フックとを含むアセンブリである。ハウジングは、（ｉ）第１縦軸方向に向く上壁外面と第２縦軸方向に向く底壁外面とを備えた縦方向に離間する上壁および下壁、および（ｉｉ）第１交軸方向に向く前壁外面と第２交軸方向に向く後壁外面とを備えた横断的に離間する前壁および後壁を有する。チューニング可視表示はハウジングの前壁外面上に配置される。フックはハウジングから第２縦軸方向に延び、そして第１交軸方向にアクセス可能な凹部を規定する。
【００１９】
この発明の第４実施例を利用する弦楽器のチューニング方法は、（ｉ）響孔にてアセンブリを楽器に引っ掛けることによって響孔に近接してアセンブリを弦楽器から吊るすステップ、（ｉｉ）周波数を有する振動を発生するように楽器の弦を弾くステップ、および（ｉｉｉ）標準的な音階における目標周波数に関連する振動周波数を指示するチューナによって生成される知覚信号に基づいて弾かれた弦の張りを調節するステップを含む。
【００２０】
【実施例】
第１実施例
図１から図１３を全体的に参照して、この発明の第１実施例は、支柱２０、棚３０、およびフック４０を含むギター用チューナホルダ１０である。
【００２１】
支柱２０は、遠端２１が近端２２から第２交軸方向ｚ２に横断的に離間された状態で、交軸方向ｚに延びる。支柱２０は、棚３０上に配置されるチューナ５００を安全に支持することができかつ通常の使用に耐久できるように交軸方向ｚに延びているのであれば、所望の大きさや形状や構成でよい。支柱２０の許容される構成は、絶対的ではないが、特に、長方形平面型、三角形平面型、装飾的な平面型、戸枠形の枠組み、装飾的な枠組み、単一センタビーム、Ｙ字型スプリットビームなどを含む。
【００２２】
支柱２０は、好ましくは、２〜５ｃｍの横断方向の高さおよび、１〜１０ｃｍの横方向の幅を有する。
【００２３】
好ましい実施例では，支柱２０は、第１縦軸方向ｘ１に向く第１主表面２３と第２縦軸方向ｘ２に向く第２主表面２４とを規定する。
【００２４】
棚３０は支柱２０の遠端３１から第１縦軸方向ｘ１に略直交して延び、棚３０の近端３２は、支柱２０の端部２１および棚近端３２から第１縦軸方向ｘ１に縦方向に間隔を隔てられた棚３０の遠端３１に直接的または間接的に接続される。棚３０は、棚３０上に配置されるチューナ５００を安全に支持できかつ通常の使用に充分耐久できる構造的完全性を有するように支柱２０から第１縦軸方向ｘ１に伸長しているのであれば、所望の大きさや形状や構成でよい。棚３０の許容される構成は、絶対的ではないが、特に、長方形平面型、三角形平面型、装飾的な平面型、戸枠形の枠組み、装飾的な枠組み、単一センタビーム、Ｙ字型スプリットビームなどを含む。
【００２５】
棚３０は、好ましくは、１〜１０ｃｍの横方向の幅および３〜１０ｃｍの縦方向の深さを有する。
【００２６】
好ましい実施例では，棚３０は、第１交軸方向ｚ１に向く第１主表面３３と第２交軸方向ｚ２に向く第２主表面３４とを規定する。
【００２７】
フック４０は、支柱２０の近端２２から第２縦軸方向ｘ２に延び、支柱２０の遠端２１へ向かって開口している（すなわち、第１交軸方向ｚ１にアクセスできる）凹部４９を規定する。フック４０は、好ましくは、横方向に延長され、ホルダ１０がギター４００の響孔４０２から引っ掛けられたときに、フック４０とギター４００との間に少なくとも２つの横方向に離間された接触点（参照番号なし）が設けられる。これにより、掛留されたホルダ１０の横方向ｙの安定性が増す。
【００２８】
フック４０は、好ましくは、２〜５ｃｍの横方向の幅を有し、１〜２ｃｍの縦方向の深さを有する。
【００２９】
フック４０により規定される凹部４９の縦方向の深さは、好ましくは、響孔４０２では、標準的なギター本体４０１の厚みよりも大きくするために、ホルダ１０をギター本体４０１に引っ掛けることを簡単にし、ギター本体４０１の表面の仕上げの損傷を招くフック４０によるギター本体４０１への締め付ける力がかかることを防ぐ。凹部４９の大きすぎる性質のために、ホルダ１０は、ホルダ１０がギター４００の響孔４０２に引っ掛けられたときは、ギター本体１０から前方に「傾く」傾向にある。このため、棚３０は、ギター本体４０１に対してわずかに下向きの角度で延びる。すなわち、棚３０の第１主表面３３は、ギター本体４０１の面（参照番号なし）に対して９０度よりわずかに大きい角度（たとえば、通例、約１００度から１２０度の間）を形成する。この角度を９０度に戻すために、ホルダ１０は、好ましくは、支柱２０の遠端２１から第２縦軸方向ｘ２に延びる突出部５０を含む。好ましい局面では、突出部５０は、ホルダ１０がギター４００の響孔４０２に引っ掛けられたとき、棚３０がギター本体４０１に対してわずかに上を向いて延びるに充分な第２縦軸方向ｘ２の距離をもって延びる。すなわち、棚３０の第１主表面３３がギター本体４０１の面（参照番号なし）に対してわずかに９０度より小さい角度（たとえば、約７０度から８０度）を形成する。棚３０をギター本体４０１からわずかに上向きに延ばすようにすることによって、典型的には、マイクであるトランスデューサ５０１およびホルダ１０により支持されるチューナ５００内のトランスデューサ用音孔５１９が、より直接的に、ギター弦４１０ａ−ｆとギター４００の響孔４０２とに対向する。このため、トランスデューサ５０１によるギター４００からの音の放射受信能力が向上する。あるいは、チューナ５００上のチューニング可視表示５０２を、より直接的に、ギター４００を保持しかつチューニングする利用者（図示せず）に対向させる。これにより、ギターをチューニングしている最中、可視表示５０２が見やすくなる。
【００３０】
突出部５０は、支柱２０上において横方向に中心に置かれた１つの隆起物、横方向に間隔が隔てられた２つの隆起物、横方向および横断方向に離間された複数の隆起物、横方向に延長した隆起物、または棚３０を所望の角度にすることに効果があるたくさんの他の構造であってもよい。
【００３１】
突出物５０は、好ましくは、０．３〜１ｃｍの縦方向の深さを有する。
【００３２】
ホルダ１０は、好ましくは、チューナ５００をホルダ１０に固定するための固定手段７０を含む。図７から図１１までに示すように、チューナ５００をホルダ１０に固定するための例示的な固定手段７０として、面ファスナ７１がある。面ファスナ７１は、（ｉ）ホルダ１０に粘着的に接着された第１部分７１ａ（つまり、フック部またはループ部）、（ｉｉ）第１部分７１ａへ面ファスナ７１の結合効果により取り付けられた第２部分７１ｂ（つまり、第１部分７１ａを補足するフック部またはループ部）、および（ｉｉｉ）第２部分７１ｂの感圧接着剤で被膜された露出した主表面（参照番号なし）を覆う剥離ライナ７１ｒを含む。剥離ライナ７１ｒは、面ファスナ７１の第２部分７１ｂのチューナ５００へのその後の接着取り付けのために除去され得る。
【００３３】
面ファスナ７１は、好ましくは、棚３０の第１主表面３３に近接する支柱２０の第１主表面２３に取り付けられる。面ファスナ７１をそのように位置決めすることにより、チューナ５００を、第２縦軸方向ｘ２において棚３０の第１主表面３３に沿って、チューナ５００に接着された面ファスナ７１の第２部分７１ｂがホルダ１０に接着された面ファスナ７１の補足的な第１部分７１ａに接触するまで縦方向にスライドされることにより、チューナ５００をホルダ１０に取り付けることができる。チューナ５００を取り外すには、片手（図示せず）にチューナ５００を持ち、もう片手（図示せず）でホルダ１０を持ち、そして、チューナ５００およびホルダ１０をおのおの反対の縦軸方向ｘ１およびｘ２に引っ張ればよい。
【００３４】
図８、図１０、および図１１に示すように、保護パッド層６０が、好ましくは、ギター４００の響孔４０２に近いギター本体４０１にホルダ１０が取り付けられているときは、ギター４００の本体４０１に接触するホルダ１０の複数の部分にまたがって配置される。所望の保護は、一般的には、支柱２０の第２主表面２４の少なくとも一部、フック４０の内側主表面４４の少なくとも一部、および突出部５０の頂上部（参照番号なし）を含む任意の突出部５０の少なくとも一部に保護パッド層６０を配置することによって達成され得る。保護パッド６０により可能な保護力を最大限にするために、一般的に望ましいことは、支柱２０の第２主表面２４の全体、棚３０の第２主表面３４の全体、フック４０の内側主表面部４４の全体、および任意の突出部５０の露出している表面領域の全体に保護パッド層６０を配置することである。
【００３５】
保護パッド６０として用いるに適している材料は、ギター本体４０１の表面の仕上げをすり傷、磨損、およびひっかき傷から保護するのに有効な材料を含み、絶対的ではないが、特に、フェルト、発泡熱可塑性プラスチック、低デュロメーター硬度ゴム、発泡ゴムなどを含む。保護パッド６０用に適している材料の選択は、まさに、当業者の能力の範囲内である。
【００３６】
図１２に示すように、ホルダ１０は、オプションとして、チューニングの最中に棚３０上のチューナ５００の保持力を高めるのに効果がある支柱２０と棚３０により形成される保持チャネル８９を形成するために、棚３０の遠端３１に近い棚３０から第１交軸方向ｚ１に延びる支持壁８０を含んでもよい。支持壁８０の近端８２は、支持壁８０の近端８２から第１交軸方向ｚ１へ延びる支持壁８０の遠端８１により、直接または間接に、棚３０に結合される。
【００３７】
ホルダ１０が支持壁８０を含むときは、ホルダ１０は、好ましくは、支持壁８０が弾性的に撓んで支柱２０から離れることができる材料から構成、配置、および形成される。このため、チューナ５００を（ｉ）支柱２０に近傍の通常は閉じられた位置から支柱から遠い開いた位置へ支持壁８０を撓ませかつチューナ５００を開いた保持チャネル８９へ落下させることにより挿入することができ、（ｉｉ）撓ませた支持壁８０を閉じた位置に戻すことにより保持チャネル８９内に保持することができ、かつ（ｉｉｉ）支柱２０の近傍にある通常は閉じられた位置から支柱から遠い開いた位置へ支持壁８０を撓ませかつチューナ５００を開いた保持チャネル８９から拾い上げることにより取り除くことができる。
【００３８】
図１２に示すように、保持チャネル８９内にチューナ５００を保持する力は、（ｉ）保持チャネル８９内へまたはそれを跨いで第２縦軸方向ｘ２へ延びる支持壁８０の遠端８１の近傍に第１縦軸方向に延びる隆起またはフィンガ８３および／または（ｉｉ）支柱２０から保持チャネル８９内へまたはそれを跨いで第１縦軸方向ｘ１へ延びる第２縦軸方向に延びた隆起またはフィンガ８４を設けることによって増強することができる。
【００３９】
支柱２０、棚３０、フック４０、突出部５０、および支持壁８０は、同一のまたは異なった材料で形成されてよい。支柱２０、棚３０、フック４０、突出部５０、および支持壁８０、その他それらの種々の組み合わせは、好ましくは、単一の一体品として、ひとかたまりの材料から一体的に形成される。支柱２０、棚３０、フック４０、突出部５０、および支持壁８０を形成する材料は、絶対的ではないが、特に、以下のような材料を含む、必要な構造的な完全性を有する材料を含む。それは、アルミニウムや鉄のような金属、ボール紙や厚紙のような紙製品、ポリスチレンやポリウレタンのようなプラスチック、天然または合成のゴム、および木である。適している材料の選択は、当業者の能力範囲内である。
【００４０】
図７から図１１に示すように、マイクや圧電センサのようなトランスデューサ９０は、ホルダ１０に恒久的にまたは取り外し可能に装着される。電気接点９１は、リード線９２を介してトランスデューサ９０に電気的に接続される。電気接点９１は、ホルダ１０により保持されるチューナ５００の上の対となる電気接点を係合するように構成され配置される。ホルダ１０上の電気接点９１は、チューナ５００をホルダ１０に接続すると２つの電気接点の係合が自動的に行われるように、チューナ５００の電気接点（図示せず）に関連して構成され配置され得る。あるいは、ホルダ１０の電気接点９１は、チューナ５００がホルダ１０に接続された後、１つまたは両方の電気接点を手動で操作しなければ電気接点の係合が起こらないように、チューナ５００の電気接点（図示せず）に関連して構成され配置され得る。たとえば、ホルダ１０から延びる絶縁電気コード（参照番号なし）の端部の凸型プラグ９１をチューナ５００内の凹入力ポート（参照番号なし）へ挿入する。トランスデューサ９０は、ホルダ１０の実質的に任意の場所に位置決めされ得るが、棚３０の第１主表面３３上が好ましい。
【００４１】
トランスデューサ９０は、ギター弦４１０ａ−ｆを弾くことにより発生されるいかなる振動をも感知し、感知された振動を感知された振動の周波数を表わす値を有する電気信号に変換することに効果的である。トランスデューサ９０により発生された電気信号は、リード線９２と電気接点９１とを通してチューナ５００に送信される。チューナ５００は、トランスデューサ９０から受け取った電気信号を使って、感知された振動の周波数と標準的な音階に沿った目標周波数との差を示す知覚信号を発生する（すなわち、可視的な知覚できるピッチメータ上の値を発生することができる）。
【００４２】
図１５から図２４までに示されるように、ホルダ１０は、支柱２０の内側連結部と棚２０とに沿った横軸方向に延びる回転チャネル３９と、図２３に示す格納位置と図２４に示すチューニング位置との間の横軸３０ｙの周りでのチューナ５００の回転を許容するホルダ１０にチューナ５００を固定する手段とで構成される。格納位置にあるときには、チューナ５００の前面５１１（つまり、チューニング可視表示５０２を有するす面）は、支柱２０の第１主表面２３に対向してもたれかかる。すなわち、チューナ５００の前面５１１は、支柱２０の第１主表面２３に対して実質的に平行である）。チューニング位置にあるときは、チューナ５００の背面５１２は、棚３０の第１主表面２３に対向してもたれかかる。すなわち、チューナ５００の前面５１１は、支柱２０の第１主表面２３に対して実質的に直交する。
【００４３】
チューナ５００は、当業者に知られている任意の数の方法でホルダ１０に枢軸的に取り付けられ得る。図１５、図１６、図１８に示すように、制限的ではない一例は、チューナ５００に電気入力ポート（図示ぜず）を取り外し可能に係合させるための、ホルダ１０の一方側面から回転チャネル３９へ横方向に延びる軸方向にロックする円筒状の電気接点９１である。電気接点９１は、ホルダ１０に対して相対的にチューナ５００の横方向ｙの動きを制限するが、横軸３０ｙの周りでは、チューナ５００を相対的に制限なしで回転させる。
第２実施例
全体的に、図２５から図３４を参照して、この発明の第２実施例は、囲い１１０とフック１４０とを含むギターチューナホルダ１００である。
【００４４】
囲い１１０は、縦方向に配置される前部１１１と後部１１２と、横断方向に離間される上部１１３と底部１１４と、横方向に離間される右側面１１５と左側面１１６とを有する。囲い１１０は、保持室１１９を規定する。保持室１１９へ通じる第１アクセス開口１１７´が、囲い１１０の上部１１３を通るように設けられる。保持室１１９へ通じる第２アクセス開口１１７″が、囲い１１０の前部１１１を通るように設けられる。
【００４５】
図２５と図３３とに示されるように、囲い１１０の上部１１３を通る第１アクセス開口１１７´は、特定のギターチューナ５００の主要部が格納位置にある保持室１１９内に滑るように導入されて係合されるように構成され配置される。図２５と図３４とに示されるように、囲い１１０の前部１１１を通る第２アクセス開口１１７″は、同ギターチューナ５００の副部がチューニング位置にある保持室１１９内に滑るように導入されて係合されるように構成され配置される。囲い１１０の前部１１１を通る第２アクセス開口１１７″は、好ましくは、囲い１１０の底部１１４の近くに横断方向に配置される。
【００４６】
図２５に示すように、横断方向に延びたスロット１１８は、好ましくは、保持室１１９内に格納されたチューナ５００を外すのを容易にするために、囲い１１０の前部１１１を通って第１アクセス開口１１７´から第２アクセス開口１１７″まで設けられる。
【００４７】
囲い１１０の壁は、格納位置とチューニング位置とにおいて特定のギターチューナ５００を確実に保持できるのであれば、中央壁または開放枠構造で形成されてもよい
保持室１１９の大きさと形状は、好ましくは、特定のギターチューナ５００に適合するものを選択するものとする。一般的には、４〜１２ｃｍの横断方向の高さを有し、３〜１２ｃｍ横方向の幅を有し、１〜４ｃｍ縦方向の深さを有する保持室１１９によって達成される。具体的には、６〜１０ｃｍ横断方向の高さ、４〜６ｃｍ横方向の幅、２〜３ｃｍ縦方向の深さのものであれば、最も商業的に入手可能なチューナ５００との適切な適合を提供できる。
【００４８】
フック１４０は、保持室１１９から離れるように、囲い１１０から第２縦軸方向ｘ２に延び、囲い１１０の底部１１４へ向かって開口している（すなわち、第１横断方向へアクセスできる）凹部１４９を規定する。フック１４０は、好ましくは、囲い１１０の上部１１３が囲い１１０に近いとき、後部１１２から延び、最も好ましくは、第２縦軸方向ｘ２における距離と同様に、囲い１１０の上部１１３上に第１交軸方向ｚ１における距離だけ横断的に延びる。
【００４９】
フック４０は、好ましくは、横方向に延長される。このため、ホルダ１００がギター４００の響孔４０２に引っ掛けられたときは、引っ掛けられたホルダ１００の横方向ｙの安定性を増すようにフック１４０とギター本体４０１との間に少なくとも２つの横方向に間隔が隔てられた接触点（参照番号なし）が設けられる。
【００５０】
フック４０は、好ましくは、２〜５ｃｍの横方向の幅を有し、１〜２ｃｍの縦方向の深さを有する。
【００５１】
フック１４０により規定される凹部１４９の縦方向の深さは、好ましくは、ホルダ１０をギター本体４０１に引っ掛けることを簡単化し、ギター本体４０１の表面の仕上げの損傷の原因となるフック１４０によるギター本体４０１に締め付ける力がかかることを防ぐために、響孔４０２での標準的なギター本体４０１の厚みよりも大きい。凹部１４９が大きすぎる性質があるため、ホルダ１００は、ホルダ１００がギター４００の響孔４０２に引っ掛けられたとき、ギター本体４０１から前方に「傾むく」傾向にある。このため、囲い１１０の底部１１４が、ギター本体４０１に対してわずかに下向きの角度で延びる。すなわち、囲い１１０底部１１４の内側主表面１１４ａは、ギター本体４０１の面（参照番号なし）に対して９０度よりわずかに大きい角度（たとえば、１００度から１２０度の間）を形成する。この角度を９０度近くに戻すためには、ホルダ１００は、好ましくは、囲い１１０の底部１１４の付近から第２縦軸方向ｘ２へ延びる突出部５０を含む。好ましい局面で、ホルダ１０がギター４００の響孔４０２に引っ掛けられたとき、第２縦軸方向ｘ２に充分な距離をもって延びているので、突出部５０は囲い１１０の底部１１４がギター本体４０１に対してわずかに上向きの角度で延びる。すなわち、囲い１１０の底部１１４の内側主表面１１４ａがギター本体４０１の面（参照番号なし）に対して９０度より小さい角度、たとえば、７０度から８０度を形成する。囲い１１０の底部１１４をギター本体４０１からわずかに上向きの角度で延ばすことによって、典型的には、マイクであるトランスデューサ５０１とチューニング位置で一方向にホルダ１００内に支持されるチューナ５００のトランスデューサ用音孔５１９とを、より直接的にギター弦４１０ａ−ｆとギター４００の響孔４０２とに対向させる。このため、ギター４００から発せられる音のトランスデューサ５０１による受信能力が向上する。また、チューナ５００上のチューニング可視表示５０２を、ギター４００を保持しかつチューニングする利用者（表示せず）により直接的に対向させる。このため、ギター４００をチューニングしている最中、可視表示５０２が見やすくなる。
【００５２】
突出部１５０は、囲い１１０上において横方向に中心に置かれた１つの隆起物、横方向に間隔が隔てられた２つの隆起物、横方向および横断方向に離間された複数の隆起物、横方向に延長した隆起物、または囲い１１０の底部１１４を所望の角度にすることに効果があるたくさんの他の構造であってもよい。
【００５３】
突出物１５０は、好ましくは、０．３〜１ｃｍの縦方向の深さを有する。
【００５４】
図３０および図３１に示すように、ギター４００の響孔４０２に近いギター本体４０１にホルダ１００が取り付けられているときは、保護パッド層１６０が、好ましくは、ギター４００の本体４０１に接触するホルダ１００の複数の部分にまたがって配置される。所望の保護は、一般的には、囲い１１０の後部１１２の外側主表面１１２ｂの少なくとも一部、フック４０の内側主表面１４４の少なくとも一部、および突出部１５０の頂上部（参照番号なし）を含む任意の突出部１５０の少なくとも一部に保護パッド層１６０を配置することによって達成され得る。保護パッド６０により可能な保護力を最大限にするためには、一般的に望ましいことは、囲い１１０の後部１１２の外側主表面１１２ｂの全体、囲い１１０の底部１１４の外側主表面１１４ｂの全体、フック１４０の内側主表面１４４の全体、および任意の突出部１５０の露出している表面領域の全体に保護パッド層１６０を配置することである。
【００５５】
保護パッド１６０として用いるに適している材料は、ギター本体４０１の表面の仕上げをすり傷、磨損、およびひっかき傷から保護するのに有効な材料を含み、絶対的ではないが、特に、フェルト、発泡熱可塑性プラスチック、低デュロメーター硬度ゴム、発泡ゴムなどを含む。保護パッド１６０用に適している材料の選択は、まさに、当業者の能力の範囲内である。
【００５６】
囲い１１０、フック１４０、および突出部５０は、同一のまたは異なった材料で形成されてよい。囲い１１０、フック１４０、および突出部５０、その他それらの種々の組み合わせは、好ましくは、単一の一体品として、ひとかたまりの材料から一体的に形成される。囲い１１０、フック１４０、および突出部５０を形成する材料は、絶対的ではないが、特に、以下のような材料を含む、必要な構造的な完全性を有する材料を含む。それは、アルミニウムや鉄のような金属、ボール紙や厚紙のような紙製品、ポリスチレンやポリウレタンのようなプラスチック、天然または合成のゴム、および木である。適している材料の選択は、当業者の能力範囲内である。
【００５７】
図３０、図３１、および図３２に示すように、マイクや圧電センサのようなトランスデューサ１９０は、ホルダ１００に恒久的にまたは取り外し可能に装着される。電気接点１９１は、リード線１９２を介してトランスデューサ１９０に電気的に接続される。電気接点１９１は、チューニング位置にあるチューナ５００が保持室１１９内に保持されているとき、ホルダ１０により保持されるチューナ５００の上の対応する電気接点（図示せず）を係合するように構成され配置される。ホルダ１００上の電気接点１９１は、チューニング位置においてチューナ５００を保持室１１９内に配置すると２つの電気接点の係合が自動的に行われるように、チューナ５００の電気接点（図示せず）に関連して構成され配置され得る。あるいは、ホルダ１００の電気接点１９１は、チューナ５００がチューニング位置において保持室１１９内に配置された後、１つまたは両方の電気接点１９１を手動で操作しなければ電気接点の係合が起こらないように、チューナ５００の電気接点（図示せず）に関連して構成され配置され得る。たとえば、ホルダ１００から延びる絶縁電気コード（図示せず）の端部の凸型プラグ（図示せず）をチューナ５００内の凹入力ポート（図示せず）へ挿入する。トランスデューサ１９０は、ホルダ１００の実質的に任意の場所に位置決めされ得るが、囲い１１０の後部１１２の外側主表面１１２ｂ上が好ましい。
【００５８】
トランスデューサ１９０は、ギター弦４１０ａ−ｆを弾くことにより発生されるいかなる振動をも感知し、感知された振動を感知された振動の周波数を表わす値を有する電気信号に変換することに効果的である。トランスデューサ１９０により発生された電気信号は、リード線１９２と電気接点１９１とを通してチューナ５００に送信される。チューナ５００は、トランスデューサ１９０から受け取った電気信号を使って、感知された振動の周波数と標準的な音階に沿った目標周波数との差を示す知覚信号を発生する（すなわち、可視的な知覚できるピッチメータ上の値を発生することができる）。
第３実施例
図３５から図４６を全体的に参照して、この発明の第３実施例は、支柱２２０、接続エレメント２３０、およびフック２４０を含むチューナホルダ１０である。
【００５９】
支柱２２０は、遠端２２１が近端２２２から第２交軸方向ｚ２に横断方向に離間された状態で、交軸方向ｚに延びる。支柱２２０は、接続エレメント２３０に装着されたチューナ５００を安全に支持することができかつ通常の使用に耐久できるように交軸方向ｚに延びているのであれば、所望の大きさや形状や構成でよい。支柱２２０の許容される構成は、絶対的ではないが、特に、長方形平面型、三角形平面型、装飾的な平面型、戸枠形の枠組み、装飾的な枠組み、単一センタビーム、Ｙ字型スプリットビームなどを含む。
【００６０】
支柱２２０は、好ましくは、２〜５ｃｍの横断方向の高さおよび、１〜１０ｃｍの横方向の幅を有する。
【００６１】
好ましい実施例では，支柱２２０は、（ｉ）第１縦軸方向ｘ１に向く第１主表面２２３および第２縦軸方向ｘ２に向く第２主表面２２４を規定する中央壁２２０ｃと、（ｉｉ）接続エレメント２３０の支柱２２０への枢軸的取り付けを容易にするための、中央壁２２０ｃの両側（参照番号なし）からおのおの第１縦軸方向ｘ１に延びかつ横方向に離間される右側壁２２０ｒと左側壁２２０ｓとを含む。
【００６２】
接続エレメント２３０は、少なくとも、図４４に示す格納位置と図４５に示すチューニング位置との間に横軸２３０ｙの周りを回転させるために支柱２２０の遠端２２１の近くの支柱２２０に枢軸的に取り付けられる。格納位置では、チューナ５００の前面５１１（つまり、チューニング可視表示５０２を有するす面）は、支柱２２０の中央壁２２０ｃの第１主表面２２３に対向しかつ当接する。すなわち、チューナ５００の前面５１１は、支柱２２０の中央壁２２０ｃの第１主表面２２３に対して実質的に平行である）。チューニング位置では、チューナ５００の前面５１１は、棚３０の第１交軸方向ｚ１に対向する支柱２２０の中央壁２２０ｃから第１縦軸方向ｘ１へ延びる。すなわち、チューナ５００の前面５１１は、支柱２２０の中央壁２２０ｃの第１主表面２２３に対して実質的に直交する。
【００６３】
接続エレメント２３０も、好ましくは、図４６に示すように、横軸２３０ｙの周りを回転して、表示位置になる。その表示位置では、チューナ５００の前面５１１が、横回転軸２３０ｙから第２縦軸方向ｘ２と第１交軸方向ｚ１との両方に延び、かつ第２縦軸方向ｘ２と第２交軸方向ｚ２との両方を斜交的に対面する。すなわち、チューナ５００の前面５１１は、支柱２２０の中央壁２２０ｃの第２主表面２２４から約２０度から７０度の角度で位置決めされる。接続エレメント２３０が回転し表示位置になったときは、支柱２２０はチューナ５００の台として機能する。そのため、ホルダ２１０は、チューナ５００の前面５１１が可視表示５０２を両手を離して見ることが容易になる角度で、表面（図示せず）から上へ向かって延びながら、図示しない平面にうつ伏せで配置される。
【００６４】
接続エレメント２３０は、当業者にとって知られる任意の方法で支柱２２０に枢軸的に取り付けられ得る。図３６に示すように、制限的ではない例は、接続エレメント２３０の近端２３３に近い接続エレメント２３０の各側面（参照番号なし）から横方向に延びる筒状のピン２８１である。各ピン２８１は、支柱２２０の右側壁２２０ｒと左側壁２２０ｓにおいて円形オリフィス２８２と結合する。１つ以上の横方向に延びるリブ２８３は、格納位置、チューニング位置、および表示位置、その他所望の回転位置の各々での接続エレメント２３０の連続的な回転を係脱可能に防ぐために、各円形オリフィス２８２の回りを囲繞して位置される一連の斜交オフセットスロット２８４の１つに選択的に係合させるための各ピン２８１の周りに設けられる。
【００６５】
接続エレメント２３０は、好ましくは、１〜１０ｃｍの横方向の幅を有し、３〜１０ｃｍの縦方向の深さを有する。
【００６６】
ホルダ２１０は、接続エレメント２３０へチューナ５００を取り外しができるように固定する手段２７０を含む。図３５、図３６に示すように、接続エレメント２３０へチューナ５００を固定する例示的な手段２７０は、保持チャネル２３９内のチューナ５００の端部（参照番号なし）を摩擦的に係合するために構成され配置される保持チャネル２３９がある。保持チャネル２３９内へのチューナ５００の保持は、さらに、チューナ５００が保持チャネル２３９に滑り込まされるときに、チューナ５００の図示しない入力ポートへの係合のために、接続エレメント２３０から保持チャネル２３９内へ延び軸方向にロックする筒状電気接点２９１の使用を通して容易にされ得る。
【００６７】
また、接続エレメント２３０は、チューナハウジング５１０の一体的な部分として形成することができる。
【００６８】
フック２４０は、支柱２２０の近端２２２の近くの支柱２２０から第２縦軸方向ｘ２へ延び、支柱２２０の遠端２２１へ向かって開口する（つまり、第１交軸方向ｚ１にアクセス可能な）凹部２４９を規定する。フック２４０は、好ましくは、引っ掛けられたホルダ２１０の横方向ｙの安定性を高めるため、ホルダ２１０がギター４００の響孔４０２に引っ掛けられたとき、フック２４０とギター本体４０１との間に少なくとも２つの横方向に間隔を隔てられた接触点を設けるように横方向に延長される。
【００６９】
フック２４０は、好ましくは、２〜５ｃｍの横方向の幅を有し、１〜２ｃｍの縦方向の深さを有する。
【００７０】
フック２４０により規定される凹部２４９の縦方向の深さは、好ましくは、響孔４０２では、標準的なギター本体４０１の厚みよりも大きくし、ホルダ２１０をギター本体４０１に引っ掛けることを簡単にし、ギター本体４０１の表面の仕上げの損傷を招くフック２４０によりギター本体４０１に締め付ける力がかかることを防ぐ。凹部２４９の大きすぎる性質のために、ホルダ２１０は、ホルダ２１０がギター４００の響孔４０２に引っ掛けられたときは、ギター本体４０１から前方に「傾く」傾向にある。このため、チューニング位置で接続エレメント２３０の保持チャネル２３９内に保持されるチューナ５００は、ギター本体４０１に対してわずかに下向きの角度で延びる。すなわち、チューニング位置で保持チャネル２３９内に保持されるチューナ５００の前面５１１は、ギター本体４０１の面（参照番号なし）に対して９０度よりわずかに大きい角度（たとえば、通例、約１００度から１２０度の間）を形成する。この角度を９０度に戻すために、ホルダ２１０は、好ましくは、支柱２２０の遠端２２１から第２縦軸方向ｘ２に延びる突出部２５０を含む。好ましい局面では、突出部２５０は、チューニング位置で接続エレメント２３０の保持チャネル２３９内に保持されるチューナ５００がギター本体４０１に対してわずかに上を向いて延びるに充分な第２縦軸方向ｘ２の距離をもって延びる。すなわち、チューニング位置で接続エレメント２３０の保持チャネル２３９内に保持されるチューナ５００の前面５１１がギター本体４０１の面（参照番号なし）に対してわずかに９０度より小さい角度（たとえば、約７０度から８０度）を形成する。チューニング位置において、接続エレメント２３０の保持チャネル２３９内に保持されるチューナ５００の前面５１１をギター本体４０１からわずかに上向きに延ばすようにすることによって、典型的には、マイクであるトランスデューサ５０１およびホルダ１０により支持されるチューナ５００内のトランスデューサ用音孔５１９が、より直接的に、ギター弦４１０ａ−ｆとギター４００の響孔４０２とに対向する。このため、トランスデューサ５０１によるギター４００からの音の放射受信能力が向上する。あるいは、チューナ５００上のチューニング可視表示５０２を、より直接的に、ギター４００を保持しかつチューニングする利用者（図示せず）に対向させる。これにより、ギター４００をチューニングしている最中、可視表示５０２が見やすくなる。
【００７１】
ホルダ２１０は、好ましくは、ホルダ２１０がギター４００の響孔４０２に引っ掛けられたときは、チューニング位置で接続エレメント２３０の保持チャネル２３９内に保持されるチューナ５００がギター本体４０１に対してわずかに上向きの角度で延びる。すなわち、チューニング位置で接続エレメント２３０の保持チャネル２３９内に保持されるチューナ５００の前面５１１がギター本体４０１の面（参照番号なし）に対してわずかに９０度より小さい角度（たとえば、約７０度から８０度）を形成する。チューニング位置において、接続エレメント２３０の保持チャネル２３９内に保持されるチューナ５００の前面５１１をギター本体４０１からわずかに上向きに延ばすようにすることによって、典型的には、マイクであるトランスデューサ５０１およびホルダ１０により支持されるチューナ５００内のトランスデューサ用音孔５１９が、より直接的に、ギター弦４１０ａ−ｆとギター４００の響孔４０２とに対向する。このため、トランスデューサ５０１によるギター４００からの音の放射受信能力が向上する。あるいは、チューナ５００上のチューニング可視表示５０２を、より直接的に、ギター４００を保持しかつチューニングする利用者（図示せず）に対向させる。これにより、ギター４００をチューニングしている最中、可視表示５０２が見やすくなる。
【００７２】
突出部２５０は、支柱２２０上において横方向に中心が置かれた１つの隆起物、横方向に間隔が隔てられた２つの隆起物、横方向および横断方向に離間された複数の隆起物、横方向に延長した隆起物、チューニング位置で接続エレメント２３０の保持チャネル２３９内に保持されるチューナ５００を所望の角度にすることに効果があるたくさんの他の構造であってもよい。
【００７３】
突出物２５０は、好ましくは、０．３〜１ｃｍの縦方向の深さを有する。
【００７４】
図４１および図４２に示すように、ギター４００の響孔４０２に近いギター本体４０１にホルダ２１０が取り付けられているときは、保護パッド層２６０が、好ましくは、ギター本体４０１に接触するホルダ２１０の複数の部分にまたがって配置される。所望の保護は、一般的には、支柱２２０の中央壁２２０ｃの第２主表面２２４の少なくとも一部、フック２４０の内側主表面２４４の少なくとも一部、および突出部２５０の頂上部（参照番号なし）を含む任意の突出部２５０の少なくとも一部に保護パッド層２６０を配置することによって達成され得る。保護パッド２６０により可能な保護力を最大限にするために、一般的に望ましいことは、支柱２２０の中央壁２２０ｃの第２主表面２２４の全体、接続エレメント２３０外側表面（参照番号なし）の全体、フック２４０の内側主表面２４４の全体、および任意の突出部２５０の露出している表面領域の全体に保護パッド層２６０を配置することである。
【００７５】
保護パッド２６０として用いるに適している材料は、ギター本体４０１の表面の仕上げをすり傷、磨損、およびひっかき傷から保護するのに有効な材料を含み、絶対的ではないが、特に、フェルト、発泡熱可塑性プラスチック、低デュロメーター硬度ゴム、発泡ゴムなどを含む。保護パッド２６０用に適している材料の選択は、まさに、当業者の能力の範囲内である。
【００７６】
支柱２２０、フック２４０、および突出部２５０は、同一のまたは異なった材料で形成されてよい。支柱２２０、フック２４０、および突出部２５０、その他それらの種々の組み合わせは、好ましくは、単一の一体品として、ひとかたまりの材料から一体的に形成される。接続エレメント２３０に加えて、支柱２２０、フック２４０、および突出部２５０を形成する材料は、絶対的ではないが、特に、以下のように必要な構造的な完全性を有する材料を含む。それは、アルミニウムや鉄のような金属、ボール紙や厚紙のような紙製品、ポリスチレンやポリウレタンのようなプラスチック、天然または合成のゴム、および木である。適している材料の選択は、当業者の能力範囲内である。
【００７７】
図３６および図４３に示すように、マイクや圧電センサのようなトランスデューサ２９０は、ホルダ２１０に恒久的にまたは取り外し可能に装着される。電気接点２９１は、リード線２９２を介してトランスデューサ２９０に電気的に接続される。電気接点２９１は、接続エレメント２３０により保持されるチューナ５００の上の電気接点（図示せず）を係合するように構成され配置される。ホルダ２１０上の電気接点２９１は、チューナ５００を接続エレメント２３０に係合すると電気接点の係合が自動的に行われるように、チューナ５００の電気接点（図示せず）に関連して構成され配置され得る。あるいは、ホルダ２１０の電気接点２９１は、チューナ５００が接続エレメント２３０により係合された後、１つまたは両方の電気接点を手動で操作しなければ電気接点の係合が起こらないように、チューナ５００の電気接点（図示せず）に関連して構成され配置され得る。たとえば、ホルダ２１０から延びる絶縁電気コード（図示せず）の端部の凸型プラグ（図示せず）をチューナ５００内の凹型入力ポート（図示せず）へ挿入する。トランスデューサ２９０は、ホルダ２１０の実質的に任意の場所に位置決めされ得るが、接続エレメント２３０の内側（参照番号なし）が好ましい。
【００７８】
トランスデューサ２９０は、ギター弦４１０ａ−ｆを弾くことにより発生されるいかなる振動をも感知し、感知された振動を感知された振動の周波数を表わす値を有する電気信号に変換することに効果的である。トランスデューサ２９０により発生された電気信号は、リード線２９２と電気接点２９１とを通してチューナ５００に送信される。チューナ５００は、トランスデューサ２９０から受け取った電気信号を使って、感知された振動の周波数と標準的な音階に沿った目標周波数との差を示す知覚信号を発生する（すなわち、可視的な知覚できるピッチメータ上の値を発生することができる）。
第４実施例
図４７から図６０を全体的に参照して、この発明の第４実施例は、（ｉ）トランスデューサ３０１（たとえば、マイク）とハウジング３１０内に保持される可視表示３０２とを有するギターチューナ３００と、（ｉｉ）ハウジング３１０から延びるフック３４０とを含むアセンブリ（参照番号なし）である。
【００７９】
ハウジング３１０は、縦軸方向に離間された前壁３１１と後壁３１２と、交軸方向に離間された上壁３１３と底壁３１４と、横方向に離間された右側壁３１５と左側壁３１６とを有する。ハウジング３１０は、チューナ３００を適切な機能のために必要な電子部品（図示せず）を保持するだけの大きさがあり、かつチューナ３００を使用し、運び、かつ格納できる小ささがあるならば、実質的に任意の大きさや形状でよい。一般的に、４〜１２ｃｍの交軸方向の高さ、３〜１２ｃｍの交軸方向の幅、および１〜４ｃｍの縦方向の深さを有するハウジング３１０なら、これらの基本条件を満たす。より好ましくは、ハウジング３１０は、６〜１０ｃｍの横断方向の高さ、４〜６ｃｍの横方向の幅、および２〜３ｃｍの縦方向の深さを有する。
【００８０】
チューナ３００のトランスデューサ３０１が音響的な振動や波を感知するように選択されたときは、トランスデューサ３０１は、ギター４００から音響信号を受信するために、ハウジング３１０を通って音孔３１９に整列される。音孔３１９は、ハウジング３１０の実質的どの位置に位置決めされてもよいが、好ましくは、前壁３１１を通って位置される。
【００８１】
フック３４０は、ハウジング３１０から第２縦軸方向ｘ２へ延び、ハウジング３１０の底壁３１４へ向かって開口する（すなわち、第１交軸方向ｚ１へアクセスできる）凹部３４９を規定する。フック３４０は、好ましくは、ハウジング３１０の上壁３１３に近いハウジング３１０の後壁３１２から延び、最も好ましくは、第１交軸方向ｚ１においてハウジング３１０の上壁３１３の上の距離だけ横断的に延びる。
【００８２】
フック３４０は、好ましくは、横方向に延長される。このため、チューナ３００がギター４００の響孔４０２に引っ掛けられたときは、引っ掛けられたチューナ３００の横方向ｙの安定性を増すようにフック３４０とギター本体４０１との間に少なくとも２つの横方向に間隔が隔てられた接触点（参照番号なし）が設けられる。
【００８３】
フック３４０は、好ましくは、２〜５ｃｍの横方向の幅を有し、１〜２ｃｍの縦方向の深さを有する。
【００８４】
図５５から図５７までを通して示されるように、フック３４０は、少なくとも図５７に示す格納位置と図５６に示すチューニング位置との間を縦方向に滑るようにハウジング３１０へ滑動的に接続されてもよい。図５７に示す格納位置では、フック３４０がハウジング３１０に向かって引っ張られるため、フック３４０によって規定される凹部３４９には、簡単にはアクセスできない。チューニング位置では、フック３４０はハウジング３１０から延びるため、第１交軸方向ｚ１においてフック３４０により規定される凹部３４９へアクセスすることができる。そのため、チューナ３００を、響孔４０２に近いギター本体４０１上にひっ掛けることができる。
【００８５】
図５８から図６０までを通して示されるように、フック３４０は、少なくとも図６０に示す格納位置と図５９に示すチューニング位置との間に縦軸（図示せず）を中心に回転させるためにハウジング３１０へ枢軸的に接続されてもよい。格納位置では、フック３４０は、ハウジングに向かって引っ張られるためフック３４０により規定される凹部３４９に、簡単にアクセスできない。チューニング位置では、フック３４０は、ハウジング３１０から延ばされ、響孔４０２に近いギター本体４０１にチューナ３００を引っ掛けることができる。
【００８６】
アセンブリ（参照番号なし）は、オプションで、支柱３２０の遠端３２１がハウジング３１０に装着されかつ支柱３２０の近端３２２がフック３４０に装着された状態で、ハウジング３１０とフック３４０との間に介挿された横断方向に延びる支柱３２０を含んでもよい。支柱３２０は、フック３４０からチューナ３００を横断方向に位置決めするために効果があり、これによって、チューナ３００がフック３４０によってギター４００の響孔４０２に引っ掛けられるとき、ギターのギター弦４１０ａ−ｆからチューナ３００を横断方向に位置決めすることができる。支柱３２０は、ギター４００の響孔４０２からチューナ３００を確実に引っ掛けられることができかつ通常の使用に耐久できるように交軸方向ｚに延びているのであれば、所望の大きさや形状や構成でよい。許容される構成は、絶対的ではないが、特に、長方形平面型、三角形平面型、装飾的な平面型、戸枠形の枠組み、装飾的な枠組み、単一センタビーム、Ｙ字型スプリットビームなどを含む。
【００８７】
支柱３２０は、好ましくは、１〜５ｃｍの横断方向の高さおよび、１〜１０ｃｍの横方向の幅を有する。
【００８８】
好ましい実施例では，支柱３２０は、第１縦軸方向ｘ１に向く第１主表面３２３と第２縦軸方向ｘ２に向く第２主表面３２４とを規定する。
【００８９】
フック３４０により規定される凹部３４９の縦方向の深さは、好ましくは、響孔４０２では、標準的なギター本体４０１の厚みよりも大きくするために、アセンブリ（参照番号なし）をギター本体４０１に引っ掛けることを簡単にし、ギター本体４０１の表面の仕上げの損傷を招くフック３４０によるギター本体４０１への締め付ける力がかかることを防ぐ。凹部３４９の大きすぎる性質のために、ホルダ３００は、チューナハウジング３１０の底壁３１４がギター４００の響孔４０２に引っ掛けられたときは、ギター本体４０１から前方に「傾く」傾向にある。このため、チューナハウジング３１０の底壁３１４は、ギター本体４０１に対してわずかに下向きの角度で延びる。すなわち、ハウジング３１０の底壁３１４は、ギター本体４０１の面（参照番号なし）に対して９０度よりわずかに大きい角度（たとえば、約１００度から１２０度の間）を形成する。この角度を９０度に戻すために、アセンブリ（参照番号なし）は、好ましくは、チューナハウジング３１０の底壁３１４の近くからから第２縦軸方向ｘ２に延びる突出部３５０を含む。好ましい局面では、突出部３５０は、アセンブリ（参照番号なし）がギター４００の響孔４０２に引っ掛けられたとき、チューナハウジング３１０の底壁３１４がギター本体４０１に対してわずかに上を向いて延びるに充分な第２縦軸方向ｘ２の距離をもって延びる。すなわち、チューナハウジング３１０の底壁３１４がギター本体４０１の面（参照番号なし）に対してわずかに９０度より小さい角度（たとえば、約７０度から８０度）を形成する。チューナハウジング３１０の底壁３１４をギター本体４０１からわずかに上向きに延ばすようにすることによって、典型的には、マイクであるトランスデューサ３０１およびチューナ３００のトランスデューサ用音孔５１９が、より直接的に、ギター弦４１０ａ−ｆとギター４００の響孔４０２とに対向する。このため、トランスデューサ３０１によるギター４００からの音の放射受信能力が向上する。あるいは、チューナ３００上のチューニング可視表示３０２を、より直接的に、ギター４００を保持しかつチューニングする利用者（図示せず）に対向させる。これにより、ギターをチューニングしている最中、可視表示５０２が見やすくなる。
【００９０】
突出部３５０は、ハウジング３１０上において横方向に中心に置かれた１つの隆起物、横方向に間隔が隔てられた２つの隆起物、横方向および横断方向に離間された複数の隆起物、横方向に延長した隆起物、またはチューナ３００を所望の角度にすることに効果があるたくさんの他の構造であってもよい。
【００９１】
突出物３５０は、好ましくは、０．３〜１ｃｍの縦方向の深さを有する。
【００９２】
図４７、図５２、図５３、および図５４に示すように、保護パッド層３６０が、好ましくは、ギター４００の響孔４０２に近いギター本体４０１にチューナ３００が取り付けられているときは、ギター本体４０１に接触するチューナ３００の複数の部分にまたがって配置される。所望の保護は、一般的には、ハウジング３１０の後壁３１２の外側主表面３１２ｅの少なくとも一部、フック３４０の内側主表面３４４の少なくとも一部、および突出部３５０の頂上部（参照番号なし）を含む任意の突出部３５０の少なくとも一部に保護パッド層３６０を配置することによって達成され得る。保護パッド３６０により可能な保護力を最大限にするためには、一般的に望ましいことは、ハウジング３１０の後壁３１２の外側主表面３１２ｅの全体、ハウジング３１０の底壁３１４の外側主表面３１４ｅの全体、フック３４０の内側主表面部３４４の全体、および任意の突出部３５０の露出している表面領域の全体に保護パッド層３６０を配置することである。
【００９３】
保護パッド３６０として用いるに適している材料は、ギター本体４０１の表面の仕上げをすり傷、磨損、およびひっかき傷から保護するのに有効な材料を含み、絶対的ではないが、特に、フェルト、発泡熱可塑性プラスチック、低デュロメーター硬度ゴム、発泡ゴムなどを含む。保護パッド３６０用に適している材料の選択は、まさに、当業者の能力の範囲内である。
【００９４】
ハウジング３１０、フック３４０、および突出部３５０は、同一のまたは異なった材料で形成されてよい。少なくともハウジング３１０、フック３４０、および突出部３５０の一部、その他それらの種々の組み合わせは、好ましくは、単一の一体品として、ひとかたまりの材料から一体的に形成される。ハウジング３１０、フック３４０、および突出部３５０を形成する材料は、絶対的ではないが、特に、以下のような材料を含む、必要な構造的な完全性を有する材料を含む。それは、アルミニウムや鉄のような金属、ボール紙や厚紙のような紙製品、ポリスチレンやポリウレタンのようなプラスチック、天然または合成のゴム、および木である。適している材料の選択は、当業者の能力範囲内である。
【００９５】
図５４に示すように、マイクや圧電センサなどのトランスデューサ３０１は、ハウジング３１０内に配置される。トランスデューサ３０１は、ギター弦４１０ａ−ｆを弾くことにより発生されるいかなる振動をも感知し、感知された振動を感知された振動の周波数を表わす値を有する電気信号に変換することに効果的である。チューナ３００は、感知された振動の周波数と標準的な音階に沿った目標周波数との差を示す知覚信号を発生する（すなわち、可視的な知覚できるピッチメータ上の値を発生することができる）ために必要なハードウエア、ソフトウエアおよび／またはファームウエア（図示せず）を含む。
定義
請求項を含んでここで使用される語「弾く」（ｐｌａｙｉｎｇ）は、弦を振動させるように弦楽器をかき鳴らす、打つ、ないし撫でることを意味する。
【００９６】
請求項を含んでここで使用される語句「主要部」（ｍａｊｏｒ ｐｏｒｔｉｏｎ）は、８０％以上を意味する。
【００９７】
請求項を含んでここで使用される語句「副部」（ｍｉｎｏｒ ｐｏｒｔｉｏｎ）は、４０％未満を意味する。
【００９８】
請求項を含んでここで使用される語句「実質的に直交」（ｓｕｂｓｔａｎｔｉａｌｌｙ ｐｅｒｐｅｎｄｉｃｕｌａｒ）は、８０度から１００度との間の角度α（すなわち、９０度に対して１０度以内）を形成することを意味する。
【００９９】
請求項を含んでここで使用される語句「保護パッド」（ｐｒｏｔｅｃｔｉｖｅ ｐａｄｄｉｎｇ）は、弦楽器の表面仕上げを擦り傷、磨耗、および引っ掻き傷から保護するために効果的な部材を意味する。
【０１００】
請求項を含んでここで使用される語「トランスデューサ」（ｔｒａｎｓｄｕｃｅｒ）は、機械信号ないし音響信号（すなわち、圧縮波）を感知しかつそれを電気信号に変換できるコンポネントを意味する。
【０１０１】
請求項を含んでここで使用される語「振動」（ｖｉｂｒａｔｉｏｎ）は、総称して使用され、固体（たとえば、ギター弦ないしギター本体）、液体（たとえば、水）および気体（たとえば、空気）の振動を包含する。従って、振動は、聴覚的ないし触覚的に感知可能な振動を包含する。
【０１０２】
また、この発明は、この発明が吊るされる響孔を有する楽器である限り、様々な弦楽器に関連付けて使用されるのに適し、絶対的ではないが、特に、ダルシマー、ギター、ハープ、マンドリンおよびウクレレを含む。この発明は、特にギターと関連付けて使用するのに適するので、開示はギターのチューニングに関連する発明の使用に基づいているが、特許請求の範囲をギターチューナないしギターのチューニングに限定するものではない。
【図面の簡単な説明】
【図１】
図１はこの発明の第１実施例における第１局面の前方斜視図である。
【図２】
図２は図１で示される実施例の平面図である。
【図３】
図３は図１で示される実施例の正面図である。
【図４】
図４は図１で示される実施例の右側図である。
【図５】
図５はギターの響孔から吊るされ、かつチューナを保持している図１で示される実施例の右側図である。
【図６】
図６はこの発明の第１実施例における第２局面の後方斜視図である。
【図７】
図７はこの発明の第１実施例における第３局面の前方斜視図である。
【図８】
図８は図７で示される実施例の平面図である。
【図９】
図９は図７で示される実施例の正面図である。
【図１０】
図１０は図７で示される実施例の右側図である。
【図１１】
図１１はギターの響孔から吊るされかつトランスデューサに電気的に接続されるチューナを保持している図７で示される実施例の右側図である。
【図１２】
図１２はこの発明の第１実施例における第４局面の前方斜視図である。
【図１３】
図１３はこの発明の第１実施例における第５局面の前方斜視図である。
【図１４】
図１４はトランスデューサを示すためにケースの一部分が除去された、ホルダから取り外して分離された図１３に示されるトランスデューサの正面図である。
【図１５】
図１５はこの発明の第１実施例における第６局面の斜視図である。
【図１６】
図１６は図１５で示される実施例の正面図である。
【図１７】
図１７は図１５で示される実施例の背面図である。
【図１８】
図１８は図１５で示される実施例の平面図である。
【図１９】
図１９は図１５で示される実施例の底面図である。
【図２０】
図２０は図１５で示される実施例の右側図である。
【図２１】
図２１は図１５で示される実施例の左側図である。
【図２２】
図２２はトランスデューサを示すためにその一部が取り外された図２０で示される実施例の右側図である。
【図２３】
図２３は格納位置でチューナを保持する図１５で示される実施例の斜視図である。
【図２４】
図２４はギターの響孔から吊るされかつチューニング位置でチューナを保持している図１５で示される実施例の斜視図である。
【図２５】
図２５はこの発明の第２実施例の前方斜視図である。
【図２６】
図２６は図２５で示される実施例の平面図である。
【図２７】
図２７は図２５で示される実施例の底面図である。
【図２８】
図２８は図２５で示される実施例の正面図である。
【図２９】
図２９は図２５で示される実施例の背面図である。
【図３０】
図３０は図２５で示される実施例の右側図である。
【図３１】
図３１は図２５で示される実施例の左側図である。
【図３２】
図３２は線Ａ−Ａに沿う図２９で示される実施例の断面図である。
【図３３】
図３３は格納位置でチューナを保持している図２５で示される実施例の前方斜視図である。
【図３４】
図３４はギターの響孔から吊るされかつチューニング位置でチューナを保持している図２５で示される実施例の前方斜視図である。
【図３５】
図３５は接続エレメントがチューニング位置へ旋回したこの発明の第３実施例の前方斜視図である。
【図３６】
図３６は図３５で示される実施例の分解組立斜視図である。
【図３７】
図３７は図３５で示される実施例の平面図である。
【図３８】
図３８は図３５で示される実施例の底面図である。
【図３９】
図３９は図３５で示される実施例の正面図である。
【図４０】
図４０は図３５で示される実施例の背面図である。
【図４１】
図４１は図３５で示される実施例の右側図である。
【図４２】
図４２は図３５で示される実施例の左側図である。
【図４３】
図４３は線Ｂ−Ｂに沿う図３９で示される実施例の接続エレメントの断面図である。
【図４４】
図４４は格納位置でチューナを保持している図３５で示される実施例の前方斜視図である。
【図４５】
図４５はギターの響孔から吊るされかつチューニング位置でチューナを保持している図３５で示される実施例の前方斜視図である。
【図４６】
図４６は表示位置でチューナを保持している図３５で示される実施例の後方斜視図である。
【図４７】
図４７はこの発明の第４実施例における第１局面の前方斜視図である。
【図４８】
図４８は図４７で示される実施例の平面図である。
【図４９】
図４９は図４７で示される実施例の底面図である。
【図５０】
図５０は図４７で示される実施例の正面図である。
【図５１】
図５１は図４７で示される実施例の背面図である。
【図５２】
図５２は図４７で示される実施例の右側図である。
【図５３】
図５３は図４７で示される実施例の左側図である。
【図５４】
図５４はギターの響孔から吊るされかつ線Ｃ−Ｃに沿う図５０で示される実施例の右側断面図である。
【図５５】
図５５はチューニング位置に滑り込んだフックを有するこの本発明の第４実施例における第２局面の前方斜視図である。
【図５６】
図５６はフックがチューニング位置に滑動した図５５で示される実施例の側面図である。
【図５７】
図５７はフックが格納位置に滑動した図５５で示される実施例の側面図である。
【図５８】
図５８はフックがチューニング位置へ旋回した旋回フックを有するこの発明の第４実施例における第３局面の後方斜視図である。
【図５９】
図５９はフックがチューニング位置へ旋回した図５８で示される実施例の側面図である。
【図６０】
図６０はフックが格納位置へ旋回した図５８で示される実施例の側面図である。
【符号の説明】
第１実施例
１０　…ホルダ
２０　…支柱
２１　…支柱遠端
２２　…支柱近端
２３　…支柱第１主表面
２４　…支柱第２主表面
３０　…棚
３０ｙ　…横回転軸
３１　…棚遠端
３２　…棚近端
３３　…棚第１主表面
３４　…棚第２主表面
３９　…回転チャネル
４０　…フック
４３　…フック外側主表面
４４　…フック内側主表面
４９　…フック規定凹部
５０　…突出部
６０　…保護パッド
７０　…固着手段
７１　…面ファスナ
７１ａ　…面ファスナ第１部
７１ｂ　…面ファスナ第２部
７１ｒ　…面ファスナのループ部の接着性塗膜上の剥離ライナ
８０　…支持壁
８１　…支持壁遠端
８２　…支持壁近端
８３　…第１フィンガ
８４　…第２フィンガ
８９　…保持チャネル
９０　…トランスデューサ
９１　…電気接点
９２　…ハード線
第２実施例
１００　…ホルダ
１１０　…囲い
１１１　…囲い前部
１１２　…囲い後部
１１２ａ　…囲い後部内側主表面
１１２ｂ　…囲い後部外側主表面
１１３　…囲い上部
１１４　…囲い底部
１１４ａ　…囲い底部内側主表面
１１４ｂ　…囲い底部外側主表面
１１５　…囲い右側面
１１６　…囲い左側面
１１７´　…囲い上部第１アクセス開口
１１７″　…囲い前部第２アクセス開口
１１８　…囲い前部横断スロット
１１９　…保持室
１４０　…フック
１４３　…フック外側主表面
１４４　…フック内側主表面
１４９　…フック規定凹部
１５０　…突出部
１６０　…保護パッド
１９０　…トランスデューサ
１９１　…コンタクト
１９２　…ハード線
第３実施例
２１０　…ホルダ
２２０　…支柱
２２０ｃ　…支柱中央壁
２２０ｒ　…支柱右側壁
２２０ｓ　…支柱左側壁
２２１　…支柱遠端
２２２　…支柱近端
２２３　…支柱中央壁第１主表面
２２４　…支柱中央壁第２主表面
２３０　…接続エレメント
２３０ｙ　…横回転軸
２３１　…接続エレメント遠端
２３２　…接続エレメント近端
２３９　…保持チャネル
２４０　…フック
２４３　…フック外側主表面
２４４　…フック内側主表面
２４９　…フック規定凹部
２５０　…突出部
２６０　…保護パッド
２７０　…固着手段
２８１　…横方向伸長ピン
２８２　…オリフィス
２８３　…リブ
２８４　…スロット
２９０　…トランスデューサ
２９１　…コンタクト
２９２　…リード線
第４実施例
３００　…チューナ
３０１　…チューナ内トランスデューサ
３０２　…チューニング可視表示
３１０　…チューナハウジング
３１１　…チューナハウジング前壁
３１１ｅ　…チューナハウジング前壁外面
３１２　…チューナハウジング後壁
３１２ｅ　…チューナハウジング後壁外面
３１３　…チューナハウジング上壁
３１３ｅ　…チューナハウジング上壁外面
３１４　…チューナハウジング底壁
３１４ｅ　…チューナハウジング底壁外面
３１５　…チューナハウジング右側壁
３１５ｅ　…チューナハウジング右側壁外面
３１６　…チューナハウジング左側壁
３１６ｅ　…チューナハウジング左側壁外面
３１９　…ハウジング貫通トランスデューサ用音孔
３２０　…支柱
３２１　…支柱遠端
３２２　…支柱近端
３２３　…支柱第１主表面
３２４　…支柱第２主表面
３４０　…フック
３４３　…フック外側主表面
３４４　…フック内側主表面
３４９　…フック規定凹部
３５０　…突出部
３６０　…保護パッド
４００　…ギター
４０１　…ギター本体
４０２　…ギターの響孔
４１０ａ　…ギター弦
４１０ｂ　…ギター弦
４１０ｃ　…ギター弦
４１０ｄ　…ギター弦
４１０ｅ　…ギター弦
４１０ｆ　…ギター弦
５００　…チューナ
５０１　…チューナ内のトランスデューサ
５０２　…チューニング可視表示
５１０　…チューナハウジング
５１１　…チューナ前面
５１２　…チューナ後面
５１７　…入力ポート
５１９　…ハウジング貫通トランスデューサ用音孔
ｘ 　…縦軸
ｘ１　…第１縦軸方向
ｘ２　…第２縦軸方向
ｙ 　…横軸
ｙ１　…第１横軸方向
ｙ２　…第２横軸方向
ｚ 　…交軸
ｚ１　…第１交軸方向
ｚ２　…第２交軸方向
【図１】
2004511021.tif 000003
【図２】
2004511021.tif 000004
【図３】
2004511021.tif 000005
【図４】
2004511021.tif 000006
【図５】
2004511021.tif 000007
【図６】
2004511021.tif 000008
【図７】
2004511021.tif 000009
【図８】
2004511021.tif 000010
【図９】
2004511021.tif 000011
【図１０】
2004511021.tif 000012
【図１１】
2004511021.tif 000013
【図１２】
2004511021.tif 000014
【図１３】
2004511021.tif 000015
【図１４】
2004511021.tif 000016
【図１５】
2004511021.tif 000017
【図１６】
2004511021.tif 000018
【図１７】
2004511021.tif 000019
【図１８】
2004511021.tif 000020
【図１９】
2004511021.tif 000021
【図２０】
2004511021.tif 000022
【図２１】
2004511021.tif 000023
【図２２】
2004511021.tif 000024
【図２３】
2004511021.tif 000025
【図２４】
2004511021.tif 000026
【図２５】
2004511021.tif 000027
【図２６】
2004511021.tif 000028
【図２７】
2004511021.tif 000029
【図２８】
2004511021.tif 000030
【図２９】
2004511021.tif 000031
【図３０】
2004511021.tif 000032
【図３１】
2004511021.tif 000033
【図３２】
2004511021.tif 000034
【図３３】
2004511021.tif 000035
【図３４】
2004511021.tif 000036
【図３５】
2004511021.tif 000037
【図３６】
2004511021.tif 000038
【図３７】
2004511021.tif 000039
【図３８】
2004511021.tif 000040
【図３９】
2004511021.tif 000041
【図４０】
2004511021.tif 000042
【図４１】
2004511021.tif 000043
【図４２】
2004511021.tif 000044
【図４３】
2004511021.tif 000045
【図４４】
2004511021.tif 000046
【図４５】
2004511021.tif 000047
【図４６】
2004511021.tif 000048
【図４７】
2004511021.tif 000049
【図４８】
2004511021.tif 000050
【図４９】
2004511021.tif 000051
【図５０】
2004511021.tif 000052
【図５１】
2004511021.tif 000053
【図５２】
2004511021.tif 000054
【図５３】
2004511021.tif 000055
【図５４】
2004511021.tif 000056
【図５５】
2004511021.tif 000057
【図５６】
2004511021.tif 000058
【図５７】
2004511021.tif 000059
【図５８】
2004511021.tif 000060
【図５９】
2004511021.tif 000061
【図６０】
2004511021.tif 000062
【国際公開パンフレット】
2004511021.tif 000063
2004511021.tif 000064
2004511021.tif 000065
2004511021.tif 000066
2004511021.tif 000067
2004511021.tif 000068
2004511021.tif 000069
2004511021.tif 000070
2004511021.tif 000071
2004511021.tif 000072
2004511021.tif 000073
2004511021.tif 000074
2004511021.tif 000075
2004511021.tif 000076
2004511021.tif 000077
2004511021.tif 000078
2004511021.tif 000079
2004511021.tif 000080
2004511021.tif 000081
2004511021.tif 000082
2004511021.tif 000083
2004511021.tif 000084
2004511021.tif 000085
2004511021.tif 000086
2004511021.tif 000087
2004511021.tif 000088
2004511021.tif 000089
2004511021.tif 000090
2004511021.tif 000091
2004511021.tif 000092
2004511021.tif 000093
2004511021.tif 000094
2004511021.tif 000095
2004511021.tif 000096
2004511021.tif 000097
2004511021.tif 000098
2004511021.tif 000099
2004511021.tif 000100
2004511021.tif 000101
2004511021.tif 000102
2004511021.tif 000103
2004511021.tif 000104
2004511021.tif 000105
2004511021.tif 000106
2004511021.tif 000107
2004511021.tif 000108
2004511021.tif 000109
2004511021.tif 000110
2004511021.tif 000111
2004511021.tif 000112
2004511021.tif 000113
2004511021.tif 000114
2004511021.tif 000115
2004511021.tif 000116
2004511021.tif 000117
2004511021.tif 000118
2004511021.tif 000119
2004511021.tif 000120
2004511021.tif 000121
2004511021.tif 000122
2004511021.tif 000123
2004511021.tif 000124
2004511021.tif 000125
2004511021.tif 000126
2004511021.tif 000127
2004511021.tif 000128
2004511021.tif 000129
2004511021.tif 000130
2004511021.tif 000131
2004511021.tif 000132
2004511021.tif 000133
2004511021.tif 000134
2004511021.tif 000135
2004511021.tif 000136
2004511021.tif 000137
2004511021.tif 000138
2004511021.tif 000139
2004511021.tif 000140
2004511021.tif 000141
2004511021.tif 000142
2004511021.tif 000143
2004511021.tif 000144
2004511021.tif 000145
2004511021.tif 000146
2004511021.tif 000147
2004511021.tif 000148
【国際調査報告】
2004511021.tif 000149